(57)【要約】      （修正有）【課題】端末装置と基地局装置が効率的に通信を行うこと。【解決手段】無線通信システムにおいて、端末装置が基地局装置から、アグリゲーション送信パラメータと送信電力制御に適用するパラメータを含む上位レイヤ設定とを受信し、アグリゲーション送信パラメータが設定されている場合に、トランスポートブロックをN個のスロットでN回繰り返し送信し、Nの値はアグリゲーション送信パラメータに含まれる。さらに一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う。【選択図】図９
2020136760.tif 000002
【特許請求の範囲】
【請求項１】
端末装置の通信方法であって、
アグリゲーション送信パラメータと送信電力制御に適用するパラメータを含む上位レイヤ設定とを受信し、
前記アグリゲーション送信パラメータが設定されている場合に、トランスポートブロックをN個のスロットでN回繰り返し送信し、
前記Nの値はアグリゲーション送信パラメータに含まれ、
一つまたは複数のパスロスリファレンス参照信号のパラメータが、送信電力制御に適用するパラメータに含まれ、
第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う、
通信方法。
【請求項２】
前記パスロスリファレンス参照信号のパラメータは、
ｎをＰＵＳＣＨパスロス見積もりに使われるべき参照信号のセットに含まれる参照信号の総数で割った余りとして特定される、
参照信号のパラメータとする、
請求項１に記載の通信方法。
【請求項３】
前記パスロスリファレンス参照信号のパラメータは、
一つまたは複数のＰＵＣＣＨリソースに関連付けられた空間関係情報のうち、
最小のＩＤのＰＵＣＣＨリソースに関連付けられた空間関係情報とｎとの和をＰＵＣＣＨリソースに関連付けられた空間関係情報の総数で割った余りとして特定される、
空間関係情報に対応したパスロスリファレンス参照信号のパラメータとする、
請求項１に記載の通信方法。
【請求項４】
基地局装置の通信方法であって、
端末装置にアグリゲーション送信パラメータと送信電力制御に適用するパラメータを含む上位レイヤ設定とを送信し、
前記アグリゲーション送信パラメータが設定されている場合に、トランスポートブロックをN個のスロットでN回繰り返し受信し、
前記Nの値はアグリゲーション送信パラメータに含まれ、
一つまたは複数のパスロスリファレンス参照信号のパラメータが、送信電力制御に適用するパラメータに含まれ、
第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う信号を受信する、
通信方法。
【請求項５】
端末装置であって、
アグリゲーション送信パラメータと送信電力制御に適用するパラメータを含む上位レイヤ設定とを受信する受信部と、
前記アグリゲーション送信パラメータが設定されている場合に、トランスポートブロックをN個のスロットでN回繰り返し送信し、
前記Nの値はアグリゲーション送信パラメータに含まれ、
一つまたは複数のパスロスリファレンス参照信号のパラメータが、送信電力制御に適用するパラメータに含まれ、
第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う送信部と、を備える、
端末装置。
【請求項６】
基地局装置であって、
端末装置にアグリゲーション送信パラメータと送信電力制御に適用するパラメータを含む上位レイヤ設定とを送信する送信部と、
前記アグリゲーション送信パラメータが設定されている場合に、トランスポートブロックをN個のスロットでN回繰り返し受信し、
前記Nの値はアグリゲーション送信パラメータに含まれ、
一つまたは複数のパスロスリファレンス参照信号のパラメータが、送信電力制御に適用するパラメータに含まれ、
第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う信号を受信する受信部と、を備える、
基地局装置。
【請求項７】
端末装置に実装される集積回路であって、
アグリゲーション送信パラメータと送信電力制御に適用するパラメータを含む上位レイヤ設定とを受信する受信手段と、
前記アグリゲーション送信パラメータが設定されている場合に、トランスポートブロックをN個のスロットでN回繰り返し送信し、
前記Nの値はアグリゲーション送信パラメータに含まれ、
一つまたは複数のパスロスリファレンス参照信号のパラメータが、送信電力制御に適用するパラメータに含まれ、
第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う送信手段と、を備える、
集積回路。
【請求項８】
基地局装置に実装される集積回路であって、
端末装置にアグリゲーション送信パラメータと送信電力制御に適用するパラメータを含む上位レイヤ設定とを送信する送信手段と、
前記アグリゲーション送信パラメータが設定されている場合に、トランスポートブロックをN個のスロットでN回繰り返し送信し、
前記Nの値はアグリゲーション送信パラメータに含まれ、
一つまたは複数のパスロスリファレンス参照信号のパラメータが、送信電力制御に適用するパラメータに含まれ、
第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う信号を受信する受信手段と、を備える、
集積回路。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency Communication）、IoT（Internet of Things）などマシン型デバイスが多数接続するmMTC（massive Machine Type Communication）の3つがサービスの想定シナリオとして要求されている。
【先行技術文献】
【非特許文献】
【０００４】
【非特許文献１】RP-161214, NTT DOCOMO, “Revision of SI: Study on New Radio Access Technology”, 2016年6月
【発明の概要】
【発明が解決しようとする課題】
【０００５】
本発明の目的は、上記のような無線通信システムにおいて、効率的な通信を可能とする端末装置、基地局装置、通信方法、および、集積回路を提供することを目的とする。
【課題を解決するための手段】
【０００６】
（１）上記の目的を達成するために、本発明の態様は、以下のような手段を講じた。すなわち、本発明の一態様における通信方法は、アグリゲーション送信パラメータと送信電力制御に適用するパラメータを含む上位レイヤ設定とを受信し、前記アグリゲーション送信パラメータが設定されている場合に、トランスポートブロックをN個のスロットでN回繰り返し送信し、前記Nの値はアグリゲーション送信パラメータに含まれ、一つまたは複数
のパスロスリファレンス参照信号のパラメータが、送信電力制御に適用するパラメータに含まれ、第ｎ回目のPUSCH送信に対する下りリンクパスロス見積もりを、一つまたは複数
のパスロスリファレンス参照信号のパラメータにより特定されるパスロスリファレンス参照信号を用いて算出し、電力制御を行う。
【０００７】
（２）また、本発明の一態様における通信方法は、第１の様態における通信方法に加え、前記パスロスリファレンス参照信号のパラメータは、ｎをＰＵＳＣＨパスロス見積もりに使われるべき参照信号のセットに含まれる参照信号の総数で割った余りとして特定される、参照信号のパラメータとする。
【０００８】
（３）また、本発明の一態様における通信方法は、第１の様態における通信方法に加え、前記パスロスリファレンス参照信号のパラメータは、一つまたは複数のＰＵＣＣＨリソースに関連付けられた空間関係情報のうち、最小のＩＤのＰＵＣＣＨリソースに関連付けられた空間関係情報とｎとの和をＰＵＣＣＨリソースに関連付けられた空間関係情報の総数で割った余りとして特定される、空間関係情報に対応したパスロスリファレンス参照信号のパラメータとする。
【０００９】
（４）また、本発明の一態様における通信方法は、基地局装置の通信方法であって、端末装置にアグリゲーション送信パラメータと送信電力制御に適用するパラメータを含む上位レイヤ設定とを送信し、前記アグリゲーション送信パラメータが設定されている場合に、トランスポートブロックをN個のスロットでN回繰り返し受信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う信号を受信する。
【００１０】
（５）また、本発明の一態様における端末装置は、アグリゲーション送信パラメータと送信電力制御に適用するパラメータを含む上位レイヤ設定とを受信する受信部と、前記アグリゲーション送信パラメータが設定されている場合に、トランスポートブロックをN個
のスロットでN回繰り返し送信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う送信部と、を備える。
【００１１】
（６）また、本発明の一態様における基地局装置は、端末装置にアグリゲーション送信パラメータと送信電力制御に適用するパラメータを含む上位レイヤ設定とを送信する送信部と、前記アグリゲーション送信パラメータが設定されている場合に、トランスポートブロックをN個のスロットでN回繰り返し受信し、前記Nの値はアグリゲーション送信パラメ
ータに含まれ、一つまたは複数のパスロスリファレンス参照信号のパラメータが、送信電力制御に適用するパラメータに含まれ、第ｎ回目のPUSCH送信に対する下りリンクパスロ
ス見積もりを、一つまたは複数のパスロスリファレンス参照信号のパラメータにより特定されるパスロスリファレンス参照信号を用いて算出し、電力制御を行う信号を受信する受信部と、を備える。
【００１２】
（７）また、本発明の一態様における集積回路は、端末装置に実装される集積回路であって、アグリゲーション送信パラメータと送信電力制御に適用するパラメータを含む上位レイヤ設定とを受信する受信手段と、前記アグリゲーション送信パラメータが設定されている場合に、トランスポートブロックをN個のスロットでN回繰り返し送信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う送信手段と、を備える。
【００１３】
（８）また、本発明の一態様における集積回路は、基地局装置に実装される集積回路であって、端末装置にアグリゲーション送信パラメータと送信電力制御に適用するパラメータを含む上位レイヤ設定とを送信する送信手段と、前記アグリゲーション送信パラメータが設定されている場合に、トランスポートブロックをN個のスロットでN回繰り返し送信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う信号を受信する受信手段と、を備える。
【発明の効果】
【００１４】
この発明によれば、基地局装置と端末装置が、効率的に通信することができる。
【図面の簡単な説明】
【００１５】
【図１】本発明の実施形態に係る無線通信システムの概念を示す図である。
【図２】本発明の実施形態に係るＳＳ／ＰＢＣＨブロックおよびＳＳバーストセットの例を示す図である。
【図３】本発明の実施形態に係る上りリンクおよび下りリンクスロットの概略構成の一例を示す図である。
【図４】本発明の実施形態に係るサブフレーム、スロット、ミニスロットの時間領域における関係を示した図である。
【図５】本発明の実施形態に係るスロットまたはサブフレームの一例を示す図である。
【図６】本発明の実施形態に係るビームフォーミングの一例を示した図である。
【図７】本発明の実施形態に係る空間関係情報セット設定の一例を示した図である。
【図８】本発明の実施形態に係るパスロスリファレンスセット設定の一例を示した図である。
【図９】本発明の実施形態に係る端末装置１の構成を示す概略ブロック図である。
【図１０】本発明の実施形態に係る基地局装置３の構成を示す概略ブロック図である。
【発明を実施するための形態】
【００１６】
以下、本発明の実施形態について説明する。
【００１７】
図１は、本実施形態における無線通信システムの概念図である。図１において、無線通信システムは、端末装置１Ａ、端末装置１Ｂ、および基地局装置３を具備する。以下、端末装置１Ａ、および、端末装置１Ｂを、端末装置１とも称する。
【００１８】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、ＴＲＰ（Transmission and Reception Point）、ｇＮＢとも称される。基地局装置３は、コアネットワーク装置を含んでも良い。また、基地局装置３は、１つまたは複数の送受信点４（ｔｒａｎｓｍｉｓｓｉｏｎ  ｒｅｃｅｐｔｉｏｎ  ｐｏｉｎｔ）を具備しても良い。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ  ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１９】
基地局装置３から端末装置１への無線通信リンクを下りリンクと称する。端末装置１から基地局装置３への無線通信リンクを上りリンクと称する。
【００２０】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２１】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００２２】
なお、本実施形態ではＯＦＤＭを伝送方式としてＯＦＤＭシンボルで説明するが、上述の他の伝送方式の場合を用いた場合も本発明に含まれる。
【００２３】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２４】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）など）で用いられてもよい。また、単独でオペレーションするスタンドアローンで用いられてもよい。デュアルコネクティビティオペレーションにおいては、ＳｐＣｅｌｌ（Special Cell）は、ＭＡＣ（MAC: Medium Access Control）エンティティがＭＣＧに関連付けられているか、ＳＣＧに関連付けられているかに応じて、それぞれ、ＭＣＧのPCellまたは、SCGのPSCellと称する。デュアルコネクティビティオペレーションでなければ、ＳｐＣｅｌｌ（Special Cell）は、PCellと称する。ＳｐＣｅｌｌ（Special Cell）は、ＰＵＣＣＨ送信と、競合ベースランダムアクセスをサポートする。
【００２５】
本実施形態では、端末装置１に対して１つまたは複数のサービングセルが設定されてもよい。設定された複数のサービングセルは、１つのプライマリセルと１つまたは複数のセカンダリセルとを含んでもよい。プライマリセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリセルと指示されたセルであってもよい。ＲＲＣ（Radio Resource Control）コネクションが確立された時点、または、後に、１つまたは複数のセカンダリセルが設定されてもよい。ただし、設定された複数のサービングセルは、１つのプライマリセカンダリセルを含んでもよい。プライマリセカンダリセルは、端末装置１が設定された１つまたは複数のセカンダリセルのうち、上りリンクにおいて制御情報を送信可能なセカンダリセルであってもよい。また、端末装置１に対して、マスターセルグループとセカンダリセルグループの２種類のサービングセルのサブセットが設定されてもよい。マスターセルグループは１つのプライマリセルと０個以上のセカンダリセルで構成されてもよい。セカンダリセルグループは１つのプライマリセカンダリセルと０個以上のセカンダリセルで構成されてもよい。
【００２６】
本実施形態の無線通信システムは、ＴＤＤ（Time Division Duplex）および／またはＦＤＤ（Frequency Division Duplex）が適用されてよい。複数のセルの全てに対してＴＤ
Ｄ（Time Division Duplex）方式またはＦＤＤ（Frequency Division Duplex）方式が適
用されてもよい。また、ＴＤＤ方式が適用されるセルとＦＤＤ方式が適用されるセルが集約されてもよい。
【００２７】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２８】
本実施形態の物理チャネルおよび物理信号について説明する。
【００２９】
図１において、端末装置１と基地局装置３の無線通信では、以下の物理チャネルが用いられる。
【００３０】
・ＰＢＣＨ（Physical Broadcast CHannel）
・ＰＤＣＣＨ（Physical Downlink Control CHannel）
・ＰＤＳＣＨ（Physical Downlink Shared CHannel）
・ＰＵＣＣＨ（Physical Uplink Control CHannel）
・ＰＵＳＣＨ（Physical Uplink Shared CHannel）
・ＰＲＡＣＨ（Physical Random Access CHannel）
【００３１】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００３２】
また、ＰＢＣＨ（物理報知チャネルとも称する）は、同期信号のブロック（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビーム（送信フィルタ設定、受信空間パラメータに関する擬似同位置（ＱＣＬ：Quasi Co-Location））の想定を用いてＳＳ／ＰＢＣＨブロックを送信する場合、予め定められた周期内または設定された周期内の時間順を示してよい。また、端末装置は、時間インデックスの違いを送信ビームの違いと認識してもよい。同期信号のブロックには、プライマリ同期信号とセカンダリ同期信号、物理報知チャネル、物理報知チャネルを復調するための参照信号、を含んでよい。プライマリ同期信号およびセカンダリ同期信号、物理報知チャネルを復調するための参照信号については後述する。
【００３３】
ＰＤＣＣＨは、下りリンクの無線通信（基地局装置３から端末装置１への無線通信）において、下りリンク制御情報（Downlink Control Information: DCI）を送信する（また
は運ぶ）ために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３４】
例えば、以下のＤＣＩフォーマットが定義されてよい。
・ＤＣＩフォーマット０＿０
・ＤＣＩフォーマット０＿１
・ＤＣＩフォーマット１＿０
・ＤＣＩフォーマット１＿１
・ＤＣＩフォーマット２＿０
・ＤＣＩフォーマット２＿１
・ＤＣＩフォーマット２＿２
・ＤＣＩフォーマット２＿３
【００３５】
ＤＣＩフォーマット０＿０は、ＰＵＳＣＨのスケジューリング情報（周波数領域リソース割当及び時間領域リソース割当）を示す情報を含んでよい。
【００３６】
ＤＣＩフォーマット０＿１は、ＰＵＳＣＨのスケジューリング情報（周波数領域リソース割当及び時間領域リソース割当）を示す情報、帯域部分（ＢＷＰ：BandWidth Part）を示す情報、チャネル状態情報（ＣＳＩ：Channel State Information）リクエスト、サウ
ンディング参照信号（ＳＲＳ：Sounding Reference Signal）リクエスト、アンテナポー
トに関する情報を含んでよい。
【００３７】
ＤＣＩフォーマット１＿０は、ＰＤＳＣＨのスケジューリング情報（周波数領域リソース割当及び時間領域リソース割当）を示す情報を含んでよい。
【００３８】
ＤＣＩフォーマット１＿１は、ＰＤＳＣＨのスケジューリング情報（周波数領域リソース割当及び時間領域リソース割当）を示す情報、帯域部分（ＢＷＰ）を示す情報、送信設定指示（ＴＣＩ：Transmission Configuration Indication）、アンテナポートに関する
情報を含んでよい。
【００３９】
ＤＣＩフォーマット２＿０は、１つまたは複数のスロットのスロットフォーマットを通知するために用いられる。スロットフォーマットは、スロット内の各ＯＦＤＭシンボルが下りリンク、フレキシブル、上りリンクのいずれかに分類されたものとして定義される。例えば、スロットフォーマットが２８の場合、スロットフォーマット２８が指示されたスロット内の１４シンボルのＯＦＤＭシンボルに対してＤＤＤＤＤＤＤＤＤＤＤＤＦＵが適用される。ここで、Ｄが下りリンクシンボル、Ｆがフレキシブルシンボル、Ｕが上りリンクシンボルである。なお、スロットについては後述する。
【００４０】
ＤＣＩフォーマット２＿１は、端末装置１に対して、送信がないと想定してよい物理リソースブロックとＯＦＤＭシンボルを通知するために用いられる。なお、この情報はプリエンプション指示（間欠送信指示）と称してよい。
【００４１】
ＤＣＩフォーマット２＿２は、ＰＵＳＣＨおよびＰＵＳＣＨのための送信電力制御（ＴＰＣ：Transmit Power Control）コマンドの送信のために用いられる。
【００４２】
ＤＣＩフォーマット２＿３は、１または複数の端末装置１によるサウンディング参照信号（ＳＲＳ）送信のためのＴＰＣコマンドのグループを送信するために用いられる。また、ＴＰＣコマンドとともに、ＳＲＳリクエストが送信されてもよい。また、ＤＣＩフォーマット２＿３に、ＰＵＳＣＨおよびＰＵＣＣＨのない上りリンク、またはＳＲＳの送信電力制御がＰＵＳＣＨの送信電力制御と紐付いていない上りリンクのために、ＳＲＳリクエストとＴＰＣコマンドが定義されてよい。
【００４３】
下りリンクに対するＤＣＩを、下りリンクグラント（downlink grant）、または、下りリンクアサインメント（downlink assignment）とも称する。ここで、上りリンクに対す
るＤＣＩを、上りリンクグラント（uplink grant）、または、上りリンクアサインメント（Uplink assignment）とも称する。１つのＰＤＣＣＨで送信されるＤＣＩフォーマット
に付加されるＣＲＣ（Cyclic Redundancy Check）パリティビットは、ＳＩ−ＲＮＴＩ(System Information- Radio Network Temporary Identifier)、Ｐ−ＲＮＴＩ（Paging-Radio Network Temporary Identifier）、Ｃ−ＲＮＴＩ（Cell-Radio Network Temporary Identifier）、ＣＳ−ＲＮＴＩ（Configured Scheduling-Radio Network Temporary Identifier）、ＲＡ−ＲＮＴＩ（Random Access-Radio Network Temporary Identity：ランダムアクセス応答識別情報）、または、Ｔｅｍｐｏｒａｒｙ  Ｃ−ＲＮＴＩでスクランブルされる。ＳＩ−ＲＮＴＩはシステム情報のブロードキャストに使用される識別子であってもよい。Ｐ−ＲＮＴＩは、ページングおよびシステム情報変更の通知に使用される識別子であってもよい。Ｃ−ＲＮＴＩ、ＭＣＳ−Ｃ−ＲＮＴＩ、および、ＣＳ−ＲＮＴＩは、セル内において端末装置を識別するための識別子である。Ｔｅｍｐｏｒａｒｙ  Ｃ−ＲＮＴＩは、競合ベースのランダムアクセス手順（contention based random access procedure）中に、ランダムアクセスプリアンブルを送信した端末装置１を識別するための識別子である。Ｃ−ＲＮＴＩ（端末装置の識別子（識別情報））は、１つまたは複数のスロットにおけるＰＤＳＣＨまたはＰＵＳＣＨを制御するために用いられる。ＣＳ−ＲＮＴＩは、ＰＤＳＣＨまたはＰＵＳＣＨのリソースを周期的に割り当てるために用いられる。ＭＣＳ−Ｃ−ＲＮＴＩは、グラントベース送信（grant-based transmission）に対して所定のＭＣＳテーブルの使用を示すために用いらる。Ｔｅｍｐｏｒａｒｙ  Ｃ−ＲＮＴＩ（ＴＣ−ＲＮＴＩ）は、１つまたは複数のスロットにおけるＰＤＳＣＨ送信またはＰＵＳＣＨ送信を制御するために用いられる。Ｔｅｍｐｏｒａｒｙ  Ｃ−ＲＮＴＩは、ランダムアクセスメッセージ３の再送信、およびランダムアクセスメッセージ４の送信をスケジュールするために用いられる。ＲＡ−ＲＮＴＩは、ランダムアクセスプリアンブルを送信した物理ランダムアクセスチャネルの周波数および時間の位置情報に応じて決定される。
【００４４】
ＰＵＣＣＨは、上りリンクの無線通信（端末装置１から基地局装置３の無線通信）において、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH）に対するＨＡＲＱ−ＡＣＫを示してもよい。
【００４５】
ＰＤＳＣＨは、媒介アクセス（MAC: Medium Access Control）層からの下りリンクデータ（DL-SCH: Downlink Shared CHannel）の送信に用いられる。また、下りリンクの場合
にはシステム情報（SI: System Information）やランダムアクセス応答（RAR: Random Access Response）などの送信にも用いられる。
【００４６】
ＰＵＳＣＨは、ＭＡＣ層からの上りリンクデータ（UL-SCH: Uplink Shared CHannel）
または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４７】
ここで、基地局装置３と端末装置１は、上位層（上位レイヤ：higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（上位レイヤ信号：higher layer signaling）とも称する。ここでの上位層は、物理層から見た上位層を意味するため、ＭＡＣ層、ＲＲＣ層、ＲＬＣ層、ＰＤＣＰ層、ＮＡＳ（Non Access Stratum）層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４８】
ＰＤＳＣＨまたはＰＵＳＣＨは、ＲＲＣシグナリング、および、ＭＡＣコントロールエレメントを送信するために用いられてもよい。ここで、ＰＤＳＣＨにおいて、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）で
あってもよい。すなわち、端末装置固有（ＵＥスペシフィック）の情報は、ある端末装置１に対して専用のシグナリングを用いて送信されてもよい。また、ＰＵＳＣＨは、上りリンクにおいてＵＥの能力（UE Capability）の送信に用いられてもよい。
【００４９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００５０】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００５１】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。なお、ビームは、送信または受信フィルタ設定、あるいは空間ドメイン送信フィルタまたは空間ドメイン受信フィルタと呼ばれてもよい。
【００５２】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００５３】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＴＲＳ（Tracking Reference Signal）
【００５４】
ＤＭＲＳは、変調信号を復調するために使用される。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用され、周期的またはセミパーシステントまたは非周期のＣＳＩ参照信号の送信方法が適用される。ＣＳＩ−ＲＳには、ノンゼロパワー（ＮＺＰ：Ｎｏｎ−Ｚｅｒｏ  Ｐｏｗｅｒ）ＣＳＩ−ＲＳと、送信電力（または受信電力）がゼロである（ゼロパワー（ＺＰ：Ｚｅｒｏ  Ｐｏｗｅｒ）ＣＳＩ−ＲＳが定義されてよい。ここで、ＺＰ  ＣＳＩ−ＲＳは送信電力がゼロまたは送信されないＣＳＩ−ＲＳリソースと定義されてよい。ＰＴＲＳは、位相雑音に起因する周波数オフセットを保証する目的で、時間軸で位相をトラックするために使用される。ＴＲＳは、高速移動時におけるドップラーシフトを保証するために使用される。なお、ＴＲＳはＣＳＩ−ＲＳの１つの設定として用いられてよい。例えば、１ポートのＣＳＩ−ＲＳがＴＲＳとして無線リソースが設定されてもよい。
【００５５】
本実施形態において、以下の上りリンク参照信号のいずれか１つまたは複数が用いられる。
・ＤＭＲＳ（Demodulation Reference Signal）
・ＰＴＲＳ（Phase Tracking Reference Signal）
・ＳＲＳ（Sounding Reference Signal）
【００５６】
ＤＭＲＳは、変調信号を復調するために使用される。なお、ＤＭＲＳには、ＰＵＣＣＨを復調するための参照信号と、ＰＵＳＣＨを復調するための参照信号の２種類が定義されてもよいし、両方をＤＭＲＳと称してもよい。ＳＲＳは、上りリンクチャネル状態情報（ＣＳＩ）の測定、チャネルサウンディング、およびビームマネジメントに使用される。ＰＴＲＳは、位相雑音に起因する周波数オフセットを保証する目的で、時間軸で位相をトラックするために使用される。
【００５７】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５８】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロックはコードワードにマップされ、コードワード毎に符号化処理が行われる。
【００５９】
図２は、本実施形態に係るＳＳ／ＰＢＣＨブロック（同期信号ブロック、ＳＳブロック、ＳＳＢとも称される）およびＳＳバーストセット（同期信号バーストセットとも称される）の例を示す図である。図２は、周期的に送信されるＳＳバーストセット内に２つのＳＳ／ＰＢＣＨブロックが含まれ、ＳＳ／ＰＢＣＨブロックは、４ＯＦＤＭシンボルで構成される例を示している。
【００６０】
ＳＳ／ＰＢＣＨブロックは、少なくとも同期信号（ＰＳＳ、ＳＳＳ）、および／またはＰＢＣＨを含む単位ブロックである。ＳＳ／ＰＢＣＨブロックに含まれる信号／チャネルを送信することを、ＳＳ／ＰＢＣＨブロックを送信すると表現する。基地局装置３はＳＳバーストセット内の１つまたは複数のＳＳ／ＰＢＣＨブロックを用いて同期信号および／またはＰＢＣＨを送信する場合に、ＳＳ／ＰＢＣＨブロック毎に独立した下りリンク送信ビームを用いてもよい。
【００６１】
図２において、１つのＳＳ／ＰＢＣＨブロックにはＰＳＳ、ＳＳＳ、ＰＢＣＨが時間／周波数多重されている。ただし、ＰＳＳ、ＳＳＳおよび／またはＰＢＣＨが時間領域で多
重される順番は図２に示す例と異なってもよい。
【００６２】
ＳＳバーストセットは、周期的に送信されてよい。例えば、初期アクセスに使用されるための周期と、接続されている（ConnectedまたはRRC_Connected）端末装置のために設定する周期が定義されてもよい。また、接続されている（ConnectedまたはRRC_Connected）端末装置のために設定する周期はＲＲＣ層で設定されてよい。また、接続されている（ConnectedまたはRRC_Connected）端末のために設定する周期は潜在的に送信する可能性がある時間領域の無線リソースの周期であって、実際には基地局装置３が送信するかどうかを決めてもよい。また、初期アクセスに使用されるための周期は、仕様書などに予め定義されてよい。
【００６３】
ＳＳバーストセットは、システムフレーム番号（ＳＦＮ：System Frame Number）に基
づいて決定されてよい。また、ＳＳバーストセットの開始位置（バウンダリ）は、ＳＦＮと周期に基づいて決定されてよい。
【００６４】
ＳＳ／ＰＢＣＨブロックは、ＳＳバーストセット内の時間的な位置に応じてＳＳＢインデックス（ＳＳＢ／ＰＢＣＨブロックインデックスと称されてもよい）が割り当てられる。端末装置１は、検出したＳＳ／ＰＢＣＨブロックに含まれるＰＢＣＨの情報および／または参照信号の情報に基づいてＳＳＢインデックスを算出する。
【００６５】
複数のＳＳバーストセットにおける各ＳＳバーストセット内における相対的な時間が同じＳＳ／ＰＢＣＨブロックは、同じＳＳＢインデックスが割り当てられる。複数のＳＳバーストセットにおける各ＳＳバーストセット内における相対的な時間が同じＳＳ／ＰＢＣＨブロックは、ＱＣＬである（あるいは同じ下りリンク送信ビームが適用されている）と想定されてもよい。また、複数のＳＳバーストセットにおける各ＳＳバーストセット内における相対的な時間が同じＳＳ／ＰＢＣＨブロックにおけるアンテナポートは、平均遅延、ドップラーシフト、空間相関に関してＱＣＬであると想定されてもよい。
【００６６】
あるＳＳバーストセットの周期内で、同じＳＳＢインデックスが割り当てられているＳＳ／ＰＢＣＨブロックは、平均遅延、平均ゲイン、ドップラースプレッド、ドップラーシフト、空間相関に関してＱＣＬであると想定されてもよい。ＱＣＬである１つまたは複数のＳＳ／ＰＢＣＨブロック（あるいは参照信号であってもよい）に対応する設定をＱＣＬ設定と称してもよい。
【００６７】
ＳＳ／ＰＢＣＨブロック数（ＳＳブロック数あるいはＳＳＢ数と称されてもよい）は、例えばＳＳバースト、またはＳＳバーストセット内、またはＳＳ／ＰＢＣＨブロックの周期の中のＳＳ／ＰＢＣＨブロック数（個数）として定義されてよい。また、ＳＳ／ＰＢＣＨブロック数は、ＳＳバースト内、またはＳＳバーストセット内、またはＳＳ／ＰＢＣＨブロックの周期の中のセル選択のためのビームグループの数を示してもよい。ここで、ビームグループは、ＳＳバースト内、またはＳＳバーストセット内、またはＳＳ／ＰＢＣＨブロックの周期の中に含まれる異なるＳＳ／ＰＢＣＨブロックの数または異なるビームの数として定義されてよい。
【００６８】
以下、本実施形態で説明する参照信号は、下りリンク参照信号、同期信号、ＳＳ／ＰＢＣＨブロック、下りリンクＤＭ−ＲＳ、ＣＳＩ−ＲＳ、上りリンク参照信号、ＳＲＳ、および／または、上りリンクＤＭ−ＲＳを含む。例えば、下りリンク参照信号、同期信号および／またはＳＳ／ＰＢＣＨブロックを参照信号と称してもよい。下りリンクで使用される参照信号は、下りリンク参照信号、同期信号、ＳＳ／ＰＢＣＨブロック、下りリンクＤＭ−ＲＳ、ＣＳＩ−ＲＳなどを含む。上りリンクで使用される参照信号は、上りリンク参照信号、ＳＲＳ、および／または、上りリンクＤＭ−ＲＳなどを含む。
【００６９】
また、参照信号は、無線リソース測定（ＲＲＭ：Radio Resource Measurement）に用いられてよい。また、参照信号は、ビームマネジメントに用いられてよい。
【００７０】
ビームマネジメントは、送信装置（下りリンクの場合は基地局装置３であり、上りリンクの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００７１】
なお、ビームペアリンクを構成、設定または確立する手続きとして、下記の手続きを含んでよい。
・ビーム選択（Beam selection）
・ビーム改善（Beam refinement）
・ビームリカバリ（Beam recovery）
【００７２】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００７３】
ビームマネジメントには、ビーム選択、ビーム改善が含まれてよい。ビームリカバリには、下記の手続きを含んでよい。
・ビーム失敗（beam failure）の検出
・新しいビームの発見
・ビームリカバリリクエストの送信
・ビームリカバリリクエストに対する応答のモニタ
【００７４】
例えば、端末装置１における基地局装置３の送信ビームを選択する際にＣＳＩ−ＲＳまたはＳＳ／ＰＢＣＨブロックに含まれるＳＳＳのＲＳＲＰ（Reference Signal Received Power）を用いてもよいし、ＣＳＩを用いてもよい。また、基地局装置３への報告として
ＣＳＩ−ＲＳリソースインデックス（ＣＲＩ：CSI-RS Resource Index）を用いてもよい
し、ＳＳ／ＰＢＣＨブロックに含まれるＰＢＣＨおよび／またはＰＢＣＨの復調に用いられる復調用参照信号（ＤＭＲＳ）の系列で指示されるインデックスを用いてもよい。
【００７５】
また、基地局装置３は、端末装置１へビームを指示する際にＣＲＩまたはＳＳ／ＰＢＣＨの時間インデックスを指示し、端末装置１は、指示されたＣＲＩまたはＳＳ／ＰＢＣＨの時間インデックスに基づいて受信する。このとき、端末装置１は指示されたＣＲＩまたはＳＳ／ＰＢＣＨの時間インデックスに基づいて空間フィルタを設定し、受信してよい。また、端末装置１は、疑似同位置（ＱＣＬ：Quasi Co-Location）の想定を用いて受信し
てもよい。ある信号（アンテナポート、同期信号、参照信号など）が別の信号（アンテナポート、同期信号、参照信号など）と「ＱＣＬである」または、「ＱＣＬの想定が用いられる」とは、ある信号が別の信号と関連付けられていると解釈できる。
【００７６】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００７７】
このＱＣＬは、ビームマネジメントにも拡張されうる。そのために、空間に拡張したＱＣＬが新たに定義されてもよい。例えば、空間ドメインのＱＣＬの想定におけるチャネルの長区間特性（Long term property）として、無線リンクあるいはチャネルにおける到来角（AoA（Angle of Arrival）, ZoA（Zenith angle of Arrival）など）および／または
角度広がり（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSD（Zenith angle Spread of Departure））、空間相関（Spatial Correlation）、受信空間パラメータであってもよい。
【００７８】
例えば、アンテナポート１とアンテナポート２の間で受信空間パラメータに関してＱＣＬであるとみなせる場合、アンテナポート１からの信号を受信する受信ビーム（受信空間フィルタ）からアンテナポート２からの信号を受信する受信ビームが推論されうることを意味する。
【００７９】
ＱＣＬタイプとして、ＱＣＬであるとみなしてよい長区間特性の組み合わせが定義されてよい。例えば、以下のタイプが定義されてよい。
・タイプＡ：ドップラーシフト、ドップラースプレッド、平均遅延、遅延スプレッド
・タイプＢ：ドップラーシフト、ドップラースプレッド
・タイプＣ：平均遅延、ドップラーシフト
・タイプＤ：受信空間パラメータ
【００８０】
上述のＱＣＬタイプは、ＲＲＣおよび／またはＭＡＣ層および／またはＤＣＩで１つまたは２つの参照信号とＰＤＣＣＨやＰＤＳＣＨ  ＤＭＲＳとのＱＣＬの想定を送信設定指示（ＴＣＩ：Transmission Configuration Indication）として設定および／または指示
してもよい。例えば、端末装置１がＰＤＣＣＨを受信する際のＴＣＩの１つの状態として、ＳＳ／ＰＢＣＨブロックのインデックス＃２とＱＣＬタイプＡ＋ＱＣＬタイプDが設定および／または指示された場合、端末装置１は、ＰＤＣＣＨ  ＤＭＲＳを受信する際、ＳＳ／ＰＢＣＨブロックインデックス＃２の受信におけるドップラーシフト、ドップラースプレッド、平均遅延、遅延スプレッド、受信空間パラメータとチャネルの長区間特性とみなしてＰＤＣＣＨのＤＭＲＳを受信して同期や伝搬路推定をしてもよい。このとき、ＴＣＩにより指示される参照信号（上述の例ではＳＳ／ＰＢＣＨブロック）をソース参照信号、ソース参照信号を受信する際のチャネルの長区間特性から推論される長区間特性の影響を受ける参照信号（上述の例ではＰＤＣＣＨ  ＤＭＲＳ）をターゲット参照信号と称してよい。また、ＴＣＩは、ＲＲＣで複数のＴＣＩ状態と各状態に対してソース参照信号とＱＣＬタイプの組み合わせが設定され、ＭＡＣ層またはＤＣＩにより端末装置１に指示されてよい。
【００８１】
この方法により、ビームマネジメントおよびビーム指示／報告として、空間ドメインのＱＣＬの想定と無線リソース（時間および／または周波数）によりビームマネジメントと等価な基地局装置３、端末装置１の動作が定義されてもよい。
【００８２】
同様に、上りリンクのＱＣＬ想定に関する設定として、上りリンク物理チャネルおよび／またはサウンディング参照信号は、空間関係情報（SpatialRelationInfo）を設定され
てもよい。空間関係情報は、別途適用した受信または送信フィルタ設定を、サウンディング参照信号の送信フィルタに適用し、ビーム利得を獲得するための情報である。別途適用した受信または送信フィルタ設定の特定のため、受信または送信する信号として同期信号
のブロック、ＣＳＩ参照信号、サウンディング参照信号、のいずれかを設定する。この方法により、上りリンク物理チャネルおよび／またはサウンディング参照信号に対し、ビーム利得を獲得することができる。
【００８３】
以下、サブフレームについて説明する。本実施形態ではサブフレームと称するが、リソースユニット、無線フレーム、時間区間、時間間隔などと称されてもよい。
【００８４】
図３は、本発明の第１の実施形態に係る上りリンクおよび下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図３は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図３のセルの帯域幅は帯域の一部（ＢＷＰ：BandWidth Part）として定義されてもよい。また、スロットは、送信時間間隔（ＴＴＩ：Transmission Time Interval）と定義されてもよい。スロットは、ＴＴＩとして定義されなくてもよい。ＴＴＩは、トランスポートブロックの送信期間であってもよい。
【００８５】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００８６】
リソースグリッドは、ある物理下りリンクチャネル（ＰＤＳＣＨなど）あるいは上りリンクチャネル（ＰＵＳＣＨなど）のリソースエレメントのマッピングを表現するために用いられる。例えば、サブキャリア間隔が１５ｋＨｚの場合、サブフレームに含まれるＯＦＤＭシンボル数Ｘ＝１４で、ＮＣＰの場合には、１つの物理リソースブロックは、時間領域において１４個の連続するＯＦＤＭシンボルと周波数領域において１２＊Ｎｍａｘ個の連続するサブキャリアとから定義される。Ｎｍａｘは、後述するサブキャリア間隔設定μにより決定されるリソースブロックの最大数である。つまり、リソースグリッドは、（１４＊１２＊Ｎｍａｘ，μ）個のリソースエレメントから構成される。ＥＣＰ（Extended CP）の場合、サブキャリア間隔６０ｋＨｚにおいてのみサポートされ、１つの物理リソースブロックは、例えば、時間領域において１２（１スロットに含まれるＯＦＤＭシンボル数）＊４（１サブフレームに含まれるスロット数）＝４８個の連続するＯＦＤＭシンボルと、周波数領域において１２＊Ｎｍａｘ，μ個の連続するサブキャリアとにより定義される。つまり、リソースグリッドは、（４８＊１２＊Ｎｍａｘ，μ）個のリソースエレメントから構成される。
【００８７】
リソースブロックとして、共通リソースブロック、物理リソースブロック、仮想リソースブロックが定義される。１リソースブロックは、周波数領域で連続する１２サブキャリアとして定義される。共通リソースブロックインデックス０におけるサブキャリアインデ
ックス０は、参照ポイントと称されてよい（ポイントＡと称されてもよい）。共通リソースブロックは、参照ポイントＡから各サブキャリア間隔設定μにおいて０から昇順で番号が付されるリソースブロックである。上述のリソースグリッドはこの共通リソースブロックにより定義される。物理リソースブロックは、後述する帯域部分（ＢＷＰ）の中に含まれる０から昇順で番号が付されたリソースブロックであり、物理リソースブロックは、帯域部分（ＢＷＰ）の中に含まれる０から昇順で番号が付されたリソースブロックである。ある物理上りリンクチャネルは、まず仮想リソースブロックにマップされる。その後、仮想リソースブロックは、物理リソースブロックにマップされる。
【００８８】
次に、サブキャリア間隔設定μについて説明する。上述のようにＮＲでは、複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位レイヤ（上位層）で与えられ、上りリンクのＢＷＰにおいて上位レイヤで与えられる。ここで、μが与えられると、サブキャリア間隔Δｆは、Δｆ＝２＾μ・１５（ｋＨｚ）で与えられる。
【００８９】
サブキャリア間隔設定μにおいて、スロットは、サブフレーム内で０からＮ^{subframe,μ}_{slot}-1に昇順に数えられ、フレーム内で０からＮ^{frame,μ}_{slot}-1に昇順に数えられる。スロット設定およびサイクリックプレフィックスに基づいてN^{slot}_{symb}の連続するＯＦＤＭシンボルがスロット内にある。N^{slot}_{symb}は１４である。サブフレーム内のスロットｎ^{μ}_{s}のスタートは、同じサブフレーム内のｎ^{μ}_{s} N^{slot}_{symb}番目のＯＦＤＭシンボルのスタートと時間でアラインされている。
【００９０】
次に、サブフレーム、スロット、ミニスロットについて説明する。図４は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。下りリンクスロットはＰＤＳＣＨマッピングタイプＡと称されてよい。上りリンクスロットはＰＵＳＣＨマッピングタイプＡと称されてよい。
【００９１】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。下りリンクミニスロットはＰＤＳＣＨマッピングタイプＢと称されてよい。上りリンクミニスロットはＰＵＳＣＨマッピングタイプＢと称されてよい。
【００９２】
図５は、スロットフォーマットの一例を示す図である。ここでは、サブキャリア間隔１５ｋＨｚにおいてスロット長が１ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクシンボル
・フレキシブルシンボル
・上りリンクシンボル
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００９３】
端末装置１は、下りリンクシンボルまたはフレキシブルシンボルで下りリンク信号または下りリンクチャネルを受信してよい。端末装置１は、上りリンクシンボルまたはフレキシブルシンボルで上りリンク信号または下りリンクチャネルを送信してよい。
【００９４】
図５（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図５（ｂ）は、最初の時間リソースで例えばＰＤＣＣＨを介して上りリンクのスケジューリングを行い、ＰＤＣＣＨの処理遅延及び下りから上りの切り替え時間、送信信号の生成を含むフレキシブルシンボルを介して上りリンク信号を送信する。図５（ｃ）は、最初の時間リソースでＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図５（ｄ）は、最初の時間リソースでＰＤＣＣＨおよび／またはＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデータ、すなわちＵＬ−ＳＣＨの送信に用いられてもよい。図５（ｅ）は、全て上りリンク送信（ＰＵＳＣＨまたはＰＵＣＣＨ）に用いられている例である。
【００９５】
上述の下りリンクパート、上りリンクパートは、ＬＴＥと同様に複数のＯＦＤＭシンボルで構成されてよい。
【００９６】
図６は、ビームフォーミングの一例を示した図である。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵがアンテナポートとして定義されてよく、端末装置１においてはアンテナポートのみが定義されてよい。位相シフタ５１を制御することで任意の方向に指向性を向けることができるため、基地局装置３は端末装置１に対して利得の高いビームを用いて通信することができる。
【００９７】
以下、帯域部分（ＢＷＰ）について説明する。ＢＷＰは、キャリアＢＷＰとも称される。ＢＷＰは、下りリンクと上りリンクのそれぞれに設定されてよい。ＢＷＰは、共通リソースブロックの連続するサブセットから選択された連続する物理リソースの集合として定義される。端末装置１は、ある時間に１つの下りリンクキャリアＢＷＰが活性化される４つまでのＢＷＰを設定されうる。端末装置１は、ある時間に１つの上りリンクキャリアＢＷＰが活性化される４つまでのＢＷＰを設定されうる。キャリアアグリゲーションの場合には、ＢＷＰは各サービングセルで設定されてもよい。このとき、あるサービングセルにおいてＢＷＰが１つ設定されていることを、ＢＷＰが設定されていないと表現されてもよい。また、ＢＷＰが２つ以上設定されていることをＢＷＰが設定されていると表現されてもよい。
【００９８】
＜ＭＡＣ  ｅｎｔｉｔｙ動作>
活性化されたサービングセルにおいて、常に一つのアクティブな（活性化された）ＢＷＰがある。あるサービングセルに対するＢＷＰ切り替え（BWP switching）は、インアク
ティブな（非活性化された）ＢＷＰを活性化（activate）し、アクティブな（活性化された）ＢＷＰを非活性化（deactivate）するために使用される。あるサービングセルに対するＢＷＰ切り替え（BWP switching）は、下りリンク割り当てまたは上りリンクグラント
を示すＰＤＣＣＨによって制御される。あるサービングセルに対するＢＷＰ切り替え（BWP switching）は、さらに、ＢＷＰインアクティブタイマー（BWP inactivity timer）や、ランダムアクセスプロシージャの開始時にＭＡＣエンティティ自身によって制御されてもよい。ＳｐＣｅｌｌ（PCellまたはPSCell）の追加または、ＳＣｅｌｌの活性化において、一つのＢＷＰが、下りリンク割り当てまたは上りリンクグラントを示すＰＤＣＣＨを受信することなしに初期的にアクティブである。初期的にアクティブなＢＷＰは、基地局装置３から端末装置１に送られるＲＲＣメッセージで指定されるかもしれない。あるサービングセルに対するアクティブなＢＷＰは、基地局装置３から端末装置１に送られるＲＲＣまたはＰＤＣＣＨで指定される。アンペアードスペクトラム（Unpaired spectrum）（ＴＤＤバンドなど）では、ＤＬ  ＢＷＰとＵＬ  ＢＷＰはペアされていて、ＢＷＰ切り替えは、ＵＬとＤＬに対して共通である。ＢＷＰが設定されているアクティベートされたサービングセルのそれぞれに対する、アクティブなＢＷＰにおいて、端末装置１のＭＡＣエンティティは、ノーマル処理を適用する。ノーマル処理には、ＵＬ−ＳＣＨを送信する、ＲＡＣＨを送信する、ＰＤＣＣＨをモニタする、ＰＵＣＣＨを送信する、ＳＲＳを送信する、およびＤＬ−ＳＣＨを受信することを含む。ＢＷＰが設定されているアクティベートされたサービングセルのそれぞれに対する、インアクティブなＢＷＰにおいて、端末装置１のＭＡＣエンティティは、ＵＬ−ＳＣＨを送信しない、ＲＡＣＨを送信しない、ＰＤＣＣＨをモニタしない、ＰＵＣＣＨを送信しない、ＳＲＳを送信しない、およびＤＬ−ＳＣＨを受信しない。あるサービングセルが非活性化された場合、アクティブなＢＷＰは、存在しないようにしてもよい（例えば、アクティブなＢＷＰは非活性化される）。
【００９９】
＜ＲＲＣ動作＞
ＲＲＣメッセージ（報知されるシステム情報や、専用ＲＲＣメッセージで送られる情報）に含まれるＢＷＰインフォメーションエレメント（IE）は、ＢＷＰを設定するために使われる。基地局装置３から送信されたＲＲＣメッセージは、端末装置１によって受信される。それぞれのサービングセルに対して、ネットワーク（基地局装置３など）は、少なくとも下りリンクのＢＷＰと１つ（もしサービングセルが上りリンクの設定された場合など）または２つ（付録のアップリンク（supplementary uplink）が使われる場合など）の上りリンクＢＷＰを含む少なくとも初期ＢＷＰ（initial BWP）を、端末装置１に対して、設定する。さらに、ネットワークは、追加の上りリンクＢＷＰや下りリンクＢＷＰをあるサービングセルに対して設定するかもしれない。ＢＷＰ設定は、上りリンクパラメータと下りリンクパラメータに分けられる。また、ＢＷＰ設定は、共通（common）パラメータと専用（dedicated）パラメータに分けられる。共通パラメータ（ＢＷＰ上りリンク共通ＩＥやＢＷＰ下りリンク共通ＩＥなど）は、セル特有である。プライマリセルの初期ＢＷＰの共通パラメータは、システム情報でも提供される。他のすべてのサービングセルに対しては、ネットワークは専用信号で共通パラメータを提供する。ＢＷＰは、ＢＷＰ  ＩＤで識別される。初期ＢＷＰは、ＢＷＰ  ＩＤが０である。他のＢＷＰのＢＷＰ  ＩＤは、１から４までの値を取る。
【０１００】
上りリンクＢＷＰの専用パラメータは、ＳＲＳ設定を含む。上りリンクＢＷＰの専用パラメータに対応する上りリンクＢＷＰが、その上りリンクＢＷＰの専用パラメータに含まれるＳＲＳ設定に対応する一つまたは複数のＳＲＳに関連付けられる。
【０１０１】
端末装置１は、１つのプライマリセルと１５までのセカンダリセルが設定されてよい。
【０１０２】
以下、ランダムアクセス手順（Random Access procedure）について説明する。ランダ
ムアクセス手順は、競合ベース（ＣＢ：Ｃｏｎｔｅｎｔｉｏｎ  Ｂａｓｅｄ）と非競合ベース（ｎｏｎ−ＣＢ）（ＣＦ：Ｃｏｎｔｅｎｔｉｏｎ  Ｆｒｅｅと称してもよい）の２つの手順に分類される。競合ベースランダムアクセスはＣＢＲＡ、非競合ベースランダムアクセスはＣＦＲＡとも称される。ランダムアクセス手順は、ＰＤＣＣＨオーダー、ＭＡＣエンティティ、下位レイヤからのビーム失敗（beam failure）の通知、あるいはＲＲＣ等によって開始（initiate）される。
【０１０３】
競合ベースのランダムアクセス手順は、ＰＤＣＣＨオーダー、ＭＡＣエンティティ、下位レイヤからのビーム失敗（beam failure）の通知、あるいはＲＲＣ等によって開始（initiate）される。ビーム失敗通知が、端末装置１のＭＡＣエンティティに端末装置１の物理レイヤから提供された場合に、ある条件を満たした場合、端末装置１のＭＡＣエンティティは、ランダムアクセス手順を開始する。ビーム失敗通知が、端末装置１のＭＡＣエンティティに端末装置１の物理レイヤから提供された場合に、ある条件を満たしたかどうかを判断し、ランダムアクセス手順を開始する手続きを、ビーム失敗リカバリ手順と称してもよい。このランダムアクセス手順は、ビーム失敗リカバリ要求のためのランダムアクセス手順である。ＭＡＣエンティティによって開始されるランダムアクセス手順は、スケジューリングリクエスト手続きによって開始されるランダムアクセス手順を含む。ビーム失敗リカバリ要求のためのランダムアクセス手順は、ＭＡＣエンティティによって開始されるランダムアクセス手順と考えられるかもしれないし、考えられないかもしれない。ビーム失敗リカバリ要求のためのランダムアクセス手順とスケジューリングリクエスト手続きによって開始されるランダムアクセス手順で、異なる手続きを行う場合があるため、ビーム失敗リカバリ要求のためのランダムアクセス手順とスケジューリングリクエスト手続きを、区別するようにしてもよい。ビーム失敗リカバリ要求のためのランダムアクセス手順とスケジューリングリクエスト手続きを、ＭＡＣエンティティによって開始されるランダムアクセス手順としてもよい。ある実施形態では、スケジューリングリクエスト手続きによって開始されるランダムアクセス手順をＭＡＣエンティティによって開始されるランダムアクセス手順と称し、ビーム失敗リカバリ要求のためのランダムアクセス手順を下位レイヤからのビーム失敗の通知によるランダムアクセス手順と称するようにしてもよい。以下、下位レイヤからのビーム失敗の通知を受けた場合のランダムアクセス手順の開始は、ビーム失敗リカバリ要求のためのランダムアクセス手順の開始を意味してもよい。
【０１０４】
端末装置１は、基地局装置３と接続（通信）していない状態からの初期アクセス時、および／または、基地局装置３と接続中であるが端末装置１に送信可能な上りリンクデータあるいは送信可能なサイドリンクデータが発生した場合のスケジューリングリクエスト時などにおいて競合ベースのランダムアクセス手順を行なう。ただし、競合ベースのランダムアクセスの用途はこれらに限定されない。端末装置１に送信可能な上りリンクデータが発生していることは、送信可能な上りリンクデータに対応するバッファステータスレポートがトリガーされていることを含んでもよい。端末装置１に送信可能な上りリンクデータが発生していることは、送信可能な上りリンクデータの発生に基づいてトリガーされたスケジューリングリクエストがペンディングされていることを含んでもよい。端末装置１に送信可能なサイドリンクデータが発生していることは、送信可能なサイドリンクデータに対応するバッファステータスレポートがトリガーされていることを含んでもよい。端末装置１に送信可能なサイドリンクデータが発生していることは、送信可能なサイドリンクデータの発生に基づいてトリガーされたスケジューリングリクエストがペンディングされていることを含んでもよい。
【０１０５】
非競合ベースのランダムアクセス手順は、端末装置１が基地局装置３からランダムアクセス手順の開始を指示する情報を受けた場合に開始されてもよい。非競合ベースランダムアクセス手順は、端末装置１のＭＡＣレイヤが、下位レイヤからビーム失敗の通知を受けた場合に開始されてもよい。非競合ベースのランダムアクセスは、基地局装置３と端末装置１とが接続中であるがハンドオーバや移動局装置の送信タイミングが有効でない場合に、迅速に端末装置１と基地局装置３との間の上りリンク同期をとるために用いられてよい。非競合ベースランダムアクセスは、端末装置１においてビーム失敗が発生した場合にビーム失敗リカバリ要求を送信するために用いられてよい。ただし、非競合ベースのランダムアクセスの用途はこれらに限定されない。ただし、該ランダムアクセス手順の開始を指示する情報はメッセージ０、Ｍｓｇ．０、ＮＲ−ＰＤＣＣＨオーダー、ＰＤＣＣＨオーダーなどと称されてもよい。ただし、端末装置１は、メッセージ０で指示されたランダムアクセスプリアンブルインデックスが所定の値（例えば、インデックスを示すビットが全て０である場合）であった場合に、端末装置１が利用可能なプリアンブルのセットの中からランダムに１つを選択して送信する競合ベースのランダムアクセス手順を行なってもよい。
【０１０６】
端末装置１は、ランダムアクセス手順を開始する（initiate）前に上位層を介してランダムアクセス設定情報を受信する。該ランダムアクセス設定情報には、プリアンブル送信に利用可能なリソースやプリアンブル送信の各種パラメータ（送信回数や電力設定）、関連付けられるＳＳ／ＰＢＣＨブロックの情報またはそれらの情報を決定／設定するための情報が含まれてよい。ただし、ランダムアクセス設定情報には、セル内で共通の情報が含まれてもよく、端末毎に異なる専用（dedicated）の情報が含まれてもよい。ただし、ラ
ンダムアクセス設定情報の一部は、ＳＳバーストセット内の全てのＳＳ／ＰＢＣＨブロックに関連付けられていてもよい。ただし、ランダムアクセス設定情報の一部は設定された１つまたは複数のＣＳＩ−ＲＳの全てに関連付けられてもよい。ただし、ランダムアクセス設定情報の一部は１つの下りリンク送信ビーム（あるいはビームインデックス）に関連付けられていてもよい。ただし、ランダムアクセス設定情報の一部はＳＳバーストセット内の１つのＳＳ／ＰＢＣＨブロックに関連付けられていてもよい。ただし、ランダムアクセス設定情報の一部は設定された１つまたは複数のＣＳＩ−ＲＳのうちの１つに関連付けられてもよい。ただし、ランダムアクセス設定情報の一部は１つの下りリンク送信ビーム（あるいはビームインデックス）に関連付けられていてもよい。ただし、１つのＳＳ／ＰＢＣＨブロック、１つのＣＳＩ−ＲＳ、および／または１つの下りリンク送信ビームに関連付けられた情報には、対応する１つのＳＳ／ＰＢＣＨブロック、１つのＣＳＩ−ＲＳ、および／または１つの下りリンク送信ビームを特定するためのインデックス情報（例えば、ＳＳＢインデックス、ビームインデックス、あるいはＱＣＬ設定インデックスであってよい）が含まれてもよい。ただし、ＳＳバーストセット内のＳＳ／ＰＢＣＨブロック毎にランダムアクセス設定情報が設定されてもよいし、ＳＳバーストセット内の全てのＳＳ／ＰＢＣＨブロックで共通の１つのランダムアクセス設定情報が設定されてもよい。端末装置１は、下りリンク信号によって１つまたは複数のランダムアクセス設定情報を受信し、該１つまたは複数のランダムアクセス設定情報のそれぞれがＳＳ／ＰＢＣＨブロック（ＣＳＩ−ＲＳまたは下りリンク送信ビームであってもよい）に関連付けられていてもよい。端末装置１は、受信した１つまたは複数のＳＳ／ＰＢＣＨブロック（ＣＳＩ−ＲＳまたは下りリンク送信ビームであってもよい）のうちの１つを選択し、選択したＳＳ／ＰＢＣＨブロックに関連付けられたランダムアクセス設定情報を用いてランダムアクセス手順を行なってもよい。
【０１０７】
端末装置１が基地局装置３からメッセージ０を受信した場合のランダムアクセス手順は、端末装置１と基地局装置３との間の複数のメッセージの送受信により実現される。
＜メッセージ０＞
基地局装置３は、端末装置１に対して、下りリンクの専用シグナリング（dedicated si
gnalling）（メッセージ０あるいはＭｓｇ０とも称される）によって、１つまたは複数の非競合ベースランダムアクセスプリアンブルを割り当てる。ただし、非競合ベースランダムアクセスプリアンブルは、ブロードキャストシグナリングによって通知されたセットに含まれていないランダムアクセスプリアンブルのことであってもよい。基地局装置３は、複数の参照信号を送信している場合に、端末装置１に対して、該複数の参照信号の少なくとも一部のそれぞれに対応する複数の非競合ベースランダムアクセスプリアンブルを割り当ててもよい。
メッセージ０は、基地局装置３から端末装置１へランダムアクセス手順の開始を指示する指示情報であってもよい。メッセージ０は、ハンドオーバのために、ターゲットの基地局装置３によって生成され、元の（source）基地局装置３によって送信されたハンドオーバ（HO）コマンドであってもよい。メッセージ０は、セカンダリセルグループの変更のために、基地局装置３によって送信されたＳＣＧ変更コマンドあってもよい。ハンドオーバコマンドやＳＣＧ変更コマンドは、同期再設定とも称される。この同期再設定（reconfiguration with syncなど）は、ＲＲＣメッセージで送信される。同期再設定は、ＰＣｅｌｌへの同期をともなうＲＲＣ再設定（ハンドオーバコマンドなど）やＰＳＣｅｌｌへの同期をともなうＲＲＣ再設定（ＳＣＧ変更コマンドなど）に使用される。メッセージ０は、ＲＲＣ信号および／またはＰＤＣＣＨで送信されてもよい。ＰＤＣＣＨで送信されるメッセージ０は、ＰＤＣＣＨオーダーと称されてもよい。ＰＤＣＣＨオーダーは、あるＤＣＩフォーマットのＤＣＩで送信されてよい。メッセージ０は、非競合ベースランダムアクセスプリアンブルを割り当てる情報を含んでいてもよい。メッセージ０で通知されるビット情報には、プリアンブルインデックス情報、ＳＳＢインデックス情報、マスクインデックス情報（ＲＡＣＨ機会インデックスと称されてもよい）、ＳＵＬ（Supplemental UpLink）情報、ＢＷＰインデックス情報、ＳＲＩ（SRS Resource Indicator）情報、参照信号選択指示情報（Reference Signal Selection Indicator）、ランダムアクセス設定選択指示情報（Random Access Configuration Selection Indicator）、ＲＳタイプ選択指示情報、単一／複数メッセージ１送信識別情報（Single/Multiple Msg.1 Transmission Indicator）、および／または、ＴＣＩが含まれてもよい。プリアンブルインデックス情報は、ランダムアクセスプリアンブルの生成に用いられる１つまたは複数のプリアンブルインデックスを示す情報である。ただし、プリアンブルインデックス情報が所定の値である場合に、端末装置１は、競合ベースのランダムアクセス手順で利用可能な１つまたは複数のランダムアクセスプリアンブルから１つをランダムに選択してもよい。ＳＳＢインデックス情報は、基地局装置３が送信する１つまたは複数のＳＳ／ＰＢＣＨブロックのいずれかひとつに対応するＳＳＢインデックスを示す情報である。メッセージ０を受信した端末装置１は、ＳＳＢインデックス情報で示されるＳＳＢインデックスがマップされたＰＲＡＣＨ機会のグループを特定する。各ＰＲＡＣＨ機会にマップされるＳＳＢインデックスは、ＰＲＡＣＨ設定インデックスと上位レイヤパラメータＳＢ−ｐｅｒＲＡＣＨ−Ｏｃｃａｓｉｏｎ、および上位レイヤパラメータｃｂ−ｐｒｅａｍｂｌｅＰｅｒＳＳＢによって決まる。マスクインデックス情報は、ランダムアクセスプリアンブルの送信に利用可能なＰＲＡＣＨ機会のインデックスを示す情報である。ただし、マスクインデックス情報により示されるＰＲＡＣＨ機会は１つの特定のＰＲＡＣＨ機会であってもよいし、選択可能な複数のＰＲＡＣＨ機会を示すものであってもよいし、異なるインデックスが１つのＰＲＡＣＨ機会と選択可能な複数のＰＲＡＣＨ機会のそれぞれを示してもよい。マスクインデックス情報は、ｐｒａｃｈ−ＣｏｎｆｉｇｕｒａｔｉｏｎＩｎｄｅｘで定められる１つまたは複数のＰＲＡＣＨ機会のグループの一部のＰＲＡＣＨ機会を示す情報であってもよい。ただし、マスクインデックス情報は、ＳＳＢインデックス情報で特定される特定のＳＳＢインデックスがマップされたＰＲＡＣＨ機会のグループ内の一部のＰＲＡＣＨ機会を示す情報であってもよい。
＜メッセージ１＞
メッセージ０を受信した端末装置１は、割り当てられた非競合ベースランダムアクセスプリアンブルを、物理ランダムアクセスチャネルを介して送信する。この送信されるラン
ダムアクセスプリアンブルをメッセージ１またはＭｓｇ１と称してもよい。ランダムアクセスプリアンブルは、複数のシーケンスによって基地局装置３へ情報を通知するように構成される。例えば、６４種類のシーケンスが用意されている場合、６ビットの情報（ｒａ−ＰｒｅａｍｂｌｅＩｎｄｅｘまたはプリアンブルインデックスであってよい）を基地局装置３へ示すことができる。この情報は、ランダムアクセスプリアンブル識別子（Random
Access preamble Identifier）として示され、端末装置１はこの情報に対応するランダ
ムアクセス応答（メッセージ２）をモニタすることで、基地局装置３から自装置宛てのメッセージ２を特定することができる。プリアンブルシーケンスは、プリアンブルインデックスを用いるプリアンブルシーケンスセットの中から選択される。端末装置１のＭＡＣレイヤにおけるランダムアクセスリソース（時間／周波数リソースおよび／またはプリアンブルインデックスを含む）の選択手順について説明する。端末装置１は、送信するランダムアクセスプリアンブルのプリアンブルインデックス（ＰＲＥＡＭＢＬＥ＿ＩＮＤＥＸと称されてもよい）に対して下記の手順で値をセットする。端末装置１は、（１）下位レイヤからのビーム失敗の通知によってランダムアクセス手順が開始され、（２）ＲＲＣパラメータでＳＳ／ＰＢＣＨブロック（ＳＳＢとも称される）またはＣＳＩ−ＲＳに関連付けられたビーム失敗リカバリ要求のための非競合ベースランダムアクセスのためのランダムアクセスリソース（ＰＲＡＣＨ機会であってもよい）が提供されており、かつ（３）一つ以上のＳＳ／ＰＢＣＨブロックまたはＣＳＩ−ＲＳのＲＳＲＰが所定の閾値を超えている場合に、ＲＳＲＰが前記所定の閾値を超えているＳＳ／ＰＢＣＨブロックまたはＣＳＩ−ＲＳを選択し、該選択されたＳＳ／ＰＢＣＨブロックに関連付けられたｒａ−ＰｒｅａｍｂｌｅＩｎｄｅｘをプリアンブルインデックスにセットする。端末装置１は、（１）ＰＤＣＣＨまたはＲＲＣでｒａ−ＰｒｅａｍｂｌｅＩｎｄｅｘが提供され、（２）該ｒａ−ＰｒｅａｍｂｌｅＩｎｄｅｘの値が競合ベースランダムアクセス手順を指示する値（例えば０ｂ００００００）ではなく、かつ（３）ＲＲＣでＳＳ／ＰＢＣＨブロックまたはＣＳＩ−ＲＳと非競合ベースランダムアクセスのためのランダムアクセスリソースが関連付けられていない場合に、シグナルされたｒａ−ＰｒｅａｍｂｌｅＩｎｄｅｘをプリアンブルインデックスにセットする。０ｂｘｘｘｘｘｘは、６ビットの情報フィールドに配置されているビット列を意味している。端末装置１は、（１）ＲＲＣでＳＳ／ＰＢＣＨブロックと非競合ベースランダムアクセスのためのランダムアクセスリソースが関連付けられており、かつ（２）関連付けられたＳＳ／ＰＢＣＨブロックのうちＲＳＲＰが所定の閾値を超えるＳＳ／ＰＢＣＨブロックが１つ以上利用可能である場合に、ＲＳＲＰが前記所定の閾値を超えているＳＳ／ＰＢＣＨブロックの１つを選択し、該選択されたＳＳ／ＰＢＣＨブロックに関連付けられたｒａ−ＰｒｅａｍｂｌｅＩｎｄｅｘをプリアンブルインデックスにセットする。
【０１０８】
端末装置１は、（１）ＲＲＣでＣＳＩ−ＲＳと非競合ベースランダムアクセスのためのランダムアクセスリソースが関連付けられており、かつ（２）関連付けられたＣＳＩ−ＲＳのうちＲＳＲＰが所定の閾値を超えるＣＳＩ−ＲＳが１つ以上利用可能である場合に、ＲＳＲＰが前記所定の閾値を超えているＣＳＩ−ＲＳの１つを選択し、該選択されたＣＳＩ−ＲＳに関連付けられたｒａ−ＰｒｅａｍｂｌｅＩｎｄｅｘをプリアンブルインデックスにセットする。端末装置１は、上記条件のいずれの条件も満たさない場合、競合ベースランダムアクセス手順を行なう。競合ベースランダムアクセス手順においては、端末装置１は、設定された閾値を超えるＳＳ／ＰＢＣＨブロックのＲＳＲＰを持つＳＳ／ＰＢＣＨブロックを選択し、プリアンブルグループの選択を行う。ＳＳ／ＰＢＣＨブロックとランダムアクセスプリアンブルの関係が設定されている場合は、端末装置１は、選択されたＳＳ／ＰＢＣＨブロックと選択されたプリアンブルグループに関連付けられた１つまたは複数のランダムアクセスプリアンブルからランダムにｒａ−ＰｒｅａｍｂｌｅＩｎｄｅｘを選択し、選択されたｒａ−ＰｒｅａｍｂｌｅＩｎｄｅｘをプリアンブルインデックスにセットする。ただし、端末装置１は、メッセージ０によって示されるｒａ−ＰｒｅａｍｂｌｅＩｎｄｅｘが所定の値（例えば、０ｂ００００００）である場合に競合ベースランダムアクセス手順を行なってもよい。ただし、端末装置１は、メッセージ０によって示されるｒａ−ＰｒｅａｍｂｌｅＩｎｄｅｘが所定の値（例えば、０ｂ００００００）である場合に競合ベースランダムアクセスで利用可能な１つまたは複数のランダムアクセスプリアンブルインデックスからランダムに１つを選択してもよい。基地局装置３は、ＲＲＣメッセージで、ＳＳ／ＰＢＣＨブロック毎のリソース設定および／またはＣＳＩ−ＲＳ毎のリソース設定を、端末装置１に送信してもよい。端末装置１は、ＲＲＣメッセージで、ＳＳ／ＰＢＣＨブロック毎のリソース設定および／またはＣＳＩ−ＲＳ毎のリソース設定を、基地局装置３から受信する。基地局装置３は、メッセージ０で、マスクインデックス情報および／またはＳＳＢインデックス情報を端末装置１に送信してもよい。端末装置１は、メッセージ０で、マスクインデックス情報および／またはＳＳＢインデックス情報を、基地局装置３から取得する。端末装置１は、ある条件に基づいて、参照信号（ＳＳ／ＰＢＣＨブロックまたはＣＳＩ−ＲＳ）を選択してもよい。端末装置１は、次に利用可能なＰＲＡＣＨ機会を、マスクインデックス情報、ＳＳＢインデックス情報、ＲＲＣパラメータで設定されるリソース設定、および選択された参照信号（ＳＳ／ＰＢＣＨブロックまたはＣＳＩ−ＲＳ）に基づいて特定してもよい。端末装置１のＭＡＣエンティティは、選択されたＰＲＡＣＨ機会を使用してランダムアクセスプリアンブルを送信するように物理レイヤに指示してもよい。ただし、メッセージ０によってＳＲＩ設定情報が示されている場合、端末装置１は、ＳＲＩ設定情報に示されている１つまたは複数のＳＲＳ送信用リソースに対応するアンテナポートおよび／または上りリンク送信ビームを用いて１つまたは複数のランダムアクセスプリアンブルを送信する。
【０１０９】
＜メッセージ２＞
メッセージ１を受信した基地局装置３は、端末装置１に送信を指示するための上りリンクグラントを含むランダムアクセス応答を生成し、生成したランダムアクセス応答をＤＬ−ＳＣＨで端末装置１へ送信する。ランダムアクセス応答を、メッセージ２またはＭｓｇ２と称してもよい。また、基地局装置３は、受信したランダムアクセスプリアンブルから端末装置１と基地局装置３との間の送信タイミングのずれを算出し、当該のずれを調整するための送信タイミング調整情報（Timing Advance Command）をメッセージ２に含める。また、基地局装置３は、受信したランダムアクセスプリアンブルに対応したランダムアクセスプリアンブル識別子をメッセージ２に含める。また、基地局装置３は、ランダムアクセスプリアンブルを送信した端末装置１宛てのランダムアクセス応答を示すためのＲＡ−ＲＮＴＩを、下りリンクのＰDＣＣＨで送信する。ＲＡ−ＲＮＴＩは、ランダムアクセス
プリアンブルを送信した物理ランダムアクセスチャネルの周波数および時間の位置情報に応じて決定される。ここで、メッセージ２（下りリンクのＰＳＣＨ）には、ランダムアクセスプリアンブルの送信に使用された上りリンク送信ビームのインデックスが含まれてもよい。また、下りリンクのＰDＣＣＨおよび／またはメッセージ２（下りリンクのＰＳＣ
Ｈ）を用いてメッセージ３の送信に使用される上りリンク送信ビームを決定するための情報が送信されてもよい。ここで、メッセージ３の送信に使用される上りリンク送信ビームを決定するための情報には、ランダムアクセスプリアンブルの送信に使用されたプリコーディングのインデックスからの差分（調整、補正）を示す情報が含まれてもよい。また、ランダムアクセス応答には、メッセージ３の送信電力に用いられる電力制御調整値に対する補正値を示す送信電力制御コマンド（ＴＰＣコマンド）が含まれてもよい。
【０１１０】
以上の複数のメッセージの送受信により、端末装置１は基地局装置３との同期をとり、基地局装置３に対する上りリンクデータ送信を行なうことができる。
【０１１１】
以下、本実施形態におけるスロットアグリゲーション送信（slot aggregation transmission、multi-slot transmission）について説明する。
【０１１２】
上位層のパラメータpusch-AggregationFactorは、データ（トランスポートブロック）
の繰り返し送信（repetition transmission）の回数を示すために用いられる。上位層の
パラメータpusch-AggregationFactorは２、４、８の内いずれかの値を示す。基地局装置
３は、データ送信の繰り返しの回数を示す上位層のパラメータpusch-AggregationFactor
を端末装置１に送信してもよい。基地局装置３は、pusch-AggregationFactorを用いて、
端末装置１にトランスポートブロックの送信を所定の回数に繰り返させることができる。端末装置１は、基地局装置３から上位層のパラメータpusch-AggregationFactorを受信し
、該pusch-AggregationFactorに示される繰り返しの回数を用いて、トランスポートブロ
ックの送信を繰り返してもよい。ただし、端末装置１は、基地局装置からpusch-AggregationFactorを受信しない場合に、トランスポートブロックの繰り返し送信の回数が１とみなしてもよい。つまり、この場合に、端末装置１は、PDCCHがスケジュールするそのトランスポートブロックを１回のみ送信してもよい。つまり、端末装置１は、基地局装置からpusch-AggregationFactorを受信しない場合に、PDCCHがスケジュールするそのトランスポートブロックに対して、スロットアグリゲーション送信（マルチスロット送信）を行わなくてもよい。
【０１１３】
具体的に言うと、端末装置１は、Ｃ−ＲＮＴＩ、ＭＣＳ−Ｃ−ＲＮＴＩでスクランブルされたＣＲＣが付加されるＤＣＩフォーマットを含むＰＤＣＣＨを受信し、該ＰＤＣＣＨによってスケジュールされるＰＵＳＣＨを送信してもよい。端末装置１にはpusch-AggregationFactorが設定されている場合、端末装置１は、PUSCHが最初に送信されるスロットからの連続的なＮ個のスロットでＰＵＳＣＨをＮ回に送信してもよい。スロットごとで一回のＰＵＳＣＨ送信（トランスポートブロックの送信）が行われてもよい。つまり、同じトランスポートブロックの送信（繰り返し送信）は１スロット内で１回しか行われない。Ｎの値はpusch-AggregationFactorから示される。端末装置１にpusch-AggregationFactorが設定されていない場合、Ｎの値は１であってもよい。PUSCHが最初に送信されるスロットは、ＰＤＣＣＨが検出されるスロット等によって与えられてもよい。一例として、（式１）Floor(n*2μPUSCH／2μPDCCH)+Ｋ２として与えてもよい。関数Floor(Ａ)は、Ａを上回らない最大の整数を出力する。ここでｎは、ＰＵＳＣＨをスケジュールするＰＤＣＣＨが検出されるスロットであり、μＰＵＳＣＨはＰUＳＣＨに対するサブキャリア間隔設定、μPDCCHはＰＤＣＣＨに対するサブキャリア間隔設定であるとする。またＫ２の値はｊ、ｊ＋１、ｊ＋２、または、ｊ＋３の内、何れかである。ｊの値は、ＰＵＳＣＨのサブキャリア間隔に対して特定される値である。例えば、ＰＵＳＣＨが適用されるサブキャリア間隔が１５ｋＨｚまたは３０ｋＨｚである場合、ｊの値は１スロットであってもよい。例えば、ＰＵＳＣＨが適用されるサブキャリア間隔が６０ｋＨｚである場合、ｊの値は２スロットであってもよい。例えば、ＰＵＳＣＨが適用されるサブキャリア間隔が１２０ｋＨｚである場合、ｊの値は３スロットであってもよい。
【０１１４】
さらに端末装置１は、ＰＵＳＣＨ時間領域リソース割り当てに関する設定および／または指示を受信してもよい。ＰＵＳＣＨ時間領域リソース割り当てに関する設定および／または指示は、ＰＵＳＣＨのスタートシンボルＳ、および、連続的な割り当てられるシンボル数Ｌの有効な組み合わせを与えるインデックスであってもよく、スタートと長さインジケータＳＬＩＶ（start and length indicator）と称してもよい。またＰＵＳＣＨをスケジュールするＰＤＣＣＨに基づき与えられたＰＵＳＣＨ時間領域リソース割り当ては連続的なＮ個のスロットに適用されてもよい。つまり、同じシンボル割り当て（同じスタートシンボルＳと同じ連続的に割り当てられるシンボル数Ｌ）が連続的なＮ個のスロットに適用されてもよい。端末装置１は、PUSCHが最初に送信されるスロットからの連続的なＮ個
のスロットにわたってトランスポートブロックを繰り返して送信してもよい。端末装置１は、各スロットにおいて同じシンボル割り当て（シンボルアロゲーション）を用いてトランスポートブロックを繰り返して送信してもよい。上位層のパラメータpusch-AggregationFactorが設定されている場合に端末装置１が行うスロットアグリゲーション送信は、第１のスロットアグリゲーション送信と称してもよい。つまり、上位層のパラメータpusch-AggregationFactorは、第１のスロットアグリゲーション送信のための繰り返し送信（repetition transmission）の回数を示すために用いられる。上位層のパラメータpusch-AggregationFactorは、第１のアグリゲーション送信パラメータとも呼ぶ。ここで、スロットを特定する計算式に置いて、Floor関数の代わりにCeiling関数を利用してもよい。関数Ceiling(Ａ)は、Aを下回らない最小の整数を出力する。
【０１１５】
第１のアグリゲーション送信では、第１回のトランスミッションオケージョン（0th transmission occasion、送信機会）がPUSCHが最初に送信されるスロットにあってもよい。ここで、トランスミッションオケージョンは上りリンク区間（UL period）と称してもよい。第２回のトランスミッションオケージョン（1st transmission occasion）がPUSCHが最初に送信されるスロットの次のスロットにあってもよい。第N回のトランスミッションオケージョン((N-1)th transmission occasion）がPUSCHが最初に送信されるスロットからN番目のスロットにあってもよい。トランスポートブロックの送信に適用される冗長バージョン（Redundancy Version）は、そのトランスポートブロックの第ｎ回のトランスミッションオケージョン（(n-1)th transmission occasion）、および、ＰＵＳＣＨをスケジュールするＤＣＩから示されるrvidに基づいて決定されてもよい。冗長バージョンのシーケンスは｛0、２，３，１｝である。変数rvidは、冗長バージョンのシーケンスへのインデックスである。該変数は4でモジュロして更新されている。冗長バージョンは、ＰＵＳＣＨで送信されるトランスポートブロックの符号化（レートマッチング）のために用いられる。冗長バージョンは、０、２、３、１の順にインクリメントされてもよい。トランスポートブロックの繰り返しの送信は、冗長バージョン（Redundancy Version）の順に行われてもよい。
【０１１６】
あるトランスミッションオケージョンに対するシンボル割り当て内の少なくとも１つのシンボルが上位層のパラメータから下りリンクシンボルに示された場合、端末装置１は、該トランスミッションオケージョンにあるスロットにおいて、トランスポートブロックを送信しなくてもよい。
【０１１７】
本実施形態において、基地局装置３は、端末装置１に対して上位層のパラメータpusch-AggregationFactor-r16を送信してもよい。上位層のパラメータpusch-AggregationFactor-r16は、データ（トランスポートブロック）の繰り返し送信（repetition transmission）の回数を示すために用いられてもよい。上位層のパラメータpusch-AggregationFactor-r16は、スロットアグリゲーション送信、および／または、ミニスロットアグリゲーション送信のための繰り返し送信の回数を示すために用いられてもよい。スロットアグリゲーション送信とミニスロットアグリゲーション送信は後述する。
【０１１８】
本実施形態において、pusch-AggregationFactor-r16は、例えば、n1, n2, n3の内何れ
かの値に設定される。n1, n2, n3それぞれの値は、２、４、８であってもよいし、他の値であってもよい。n1, n2, n3は、トランスポートブロックの繰り返し送信の回数を示す。つまり、pusch-AggregationFactor-r16は、１つの繰り返し送信の回数の値を示してもよ
い。トランスポートブロックの繰り返し送信の回数は、スロット内の繰り返し送信回数（Ｎrepなど）でもよいし、スロット内およびスロット間を含めた繰り返し送信回数（Ｎtotalなど）であってもよいし、スロット間の繰り返し送信回数（Ｎtotalなど）でもよい。
または、基地局装置３は、端末装置１に繰り返し送信の回数をさらに柔軟に設定できるよう、１つより多いエレメントを含むpusch-AggregationFactor-r16を端末装置１に送信し
てもよい。エレメント（インフォメーションエレメント、エントリ）は、トランスポートブロックの繰り返し送信の回数を示すために用いられてもよい。つまり、pusch-AggregationFactor-r16は、１つより多い複数の繰り返し送信の回数を示してもよい。本実施形態において、上位層のパラメータpusch-AggregationFactor-r16が設定されている場合に端末装置１が行うスロットアグリゲーション送信は、第２のアグリゲーション送信と称してもよい。つまり、上位層のパラメータpusch-AggregationFactor-r16は、少なくとも第２のアグリゲーション送信のための繰り返し送信（repetition transmission）の回数を示すために用いられてもよい。上位層のパラメータpusch-AggregationFactor-r16は、第２のアグリゲーション送信パラメータとも呼ぶ。そして、基地局装置３は、トランスポートブロックをスケジュールするＤＣＩに含まれるフィールドを介して、何れかのエレメントを示し、そのトランスポートブロックの繰り返し送信の回数を端末装置１に通知してもよい。具体的手順は後述する。また、基地局装置３は、MAC CE（MAC Control Element）を介して、何れかのエレメントを示し、そのトランスポートブロックの繰り返し送信の回数を端末装置１に通知してもよい。即ち、基地局装置３は、そのＤＣＩに含まれるフィールドおよび／またはMAC CEを介して、何れかのエレメントを示し、動的に繰り返し送信の回数を端末装置１に通知してもよい。端末装置１に動的繰り返し回数の機能が適用されることは、端末装置１が動的に繰り返し送信の回数を基地局装置３から通知されることを意味してもよい。
【０１１９】
第１の例として、基地局装置３は、端末装置１に対してpusch-AggregationFactorとpusch-AggregationFactor-r16を送信しなくてもよい。つまり、端末装置１にはpusch-AggregationFactorとpusch-AggregationFactor-r16が設定されなくてもよい。別の言い方で言えば、端末装置１はpusch-AggregationFactorとpusch-AggregationFactor-r16を含まない（を設定しない）ＲＲＣメッセージを基地局装置３から受信してもよい。この場合に、端末装置１は、前述のような（式１）によって与えられるスロットでＰＵＳＣＨを送信してもよい。別の言い方で言うと、トランスポートブロックの繰り返し送信の回数は１であってもよい。つまり、端末装置１は、スロットアグリゲーション送信および／またはミニスロットアグリゲーション送信を行わなくてもよい。
【０１２０】
また、第２の例として、基地局装置３は、端末装置１に対してpusch-AggregationFactorを送信し、pusch-AggregationFactor-r16を送信しなくてもよい。つまり、端末装置１にはpusch-AggregationFactorが設定され、pusch-AggregationFactor-r16が設定されなくてもよい。別の言い方で言えば、端末装置１はpusch-AggregationFactorを含み（を設定し）、pusch-AggregationFactor-r16を含まない（を設定しない）ＲＲＣメッセージを基地局装置３から受信してもよい。この場合に、端末装置１は、前述のような（式１）によって与えられるスロットからの連続的なＮ個のスロットでＰＵＳＣＨをＮ回送信してもよい。つまり、トランスポートブロックの繰り返し送信の回数は、pusch-AggregationFactorによって示されるＮであってもよい。端末装置１は、DCIがスケジュールするPUSCHに対して、第１のアグリゲーション送信を行ってもよい。同じシンボル割り当てが連続的なＮ個のスロットに適用されてもよい。
【０１２１】
また、第３の例として、基地局装置３は、端末装置１に対してpusch-AggregationFactorを送信しなく、pusch-AggregationFactor-r16を送信してもよい。つまり、端末装置１にはpusch-AggregationFactorが設定されなく、pusch-AggregationFactor-r16が設定されてもよい。別の言い方で言えば、端末装置１はpusch-AggregationFactorを含まず（を設定せず）、pusch-AggregationFactor-r16を含む（を設定する）ＲＲＣメッセージを基地局装置３から受信してもよい。この場合に、端末装置１は、前述のような（式１）によって与えられるスロットからの１つまたは複数のスロットでＰＵＳＣＨをＭ回送信してもよい。第１のアグリゲーション送信と異なって、複数のスロットが連続してもよいし、非連続になってもよい。つまり、トランスポートブロックの繰り返し送信の回数Mは、pusch-AggregationFactor-r16によって示されてもよい。同じシンボル割り当てが複数のスロットに適用されなくてもよい。つまり、第１回のトランスポートブロックの繰り返し送信に適用されるＰＵＳＣＨ時間領域リソース割り当て（シンボル割り当て）は、そのトランスポートブロックをスケジュールするDCIに基づいて与えられてもよい。ただし、第２回および／またはそれ以降のトランスポートブロックの繰り返し送信に適用されるＰＵＳＣＨシンボル割り当ては、ＰＵＳＣＨをスケジュールするＰＤＣＣＨ（ＤＣＩなど）に基づいて与えられるシンボル割り当てと異なってもよい。これをシンボル割り当て拡張と呼ぶ。具体的に言うと、第２回および／またはそれ以降のトランスポートブロックの繰り返し送信に適用されるスタートシンボルＳは、そのＰＤＣＣＨに基づいて与えられるスタートシンボルＳと異なってもよい（スタートシンボル拡張）。例えば、第２回および／またはそれ以降のトランスポートブロックの繰り返し送信に適用されるスタートシンボルＳは、スロットの先頭である０番目のシンボルであってよい。また、第２回および／またはそれ以降のトランスポートブロックの繰り返し送信に適用されるスタートシンボルＳは、ＰＤＣＣＨに基づいて与えられるスタートシンボルＳと同じであってもよい。例えば、第２回および／またはそれ以降のトランスポートブロックの繰り返し送信に適用されるスタートシンボルＳは、スロットの先頭より後で最初の利用可能なシンボルであってよい。また、第２回および／またはそれ以降のトランスポートブロックの繰り返し送信に適用されるＰＵＳＣＨの連続的な割り当てられるシンボル数Ｌは、そのＰＤＣＣＨに基づいて与えられる連続的な割り当てられるシンボル数Ｌと異なってもよい（シンボル数拡張）。また、第２回および／またはそれ以降のトランスポートブロックの繰り返し送信に適用されるＰＵＳＣＨの連続的な割り当てられるシンボル数Ｌは、そのＰＤＣＣＨに基づいて与えられる連続的な割り当てられるシンボル数Ｌと同じでもよい。
【０１２２】
また、第４の例として、基地局装置３は、端末装置１に対してpusch-AggregationFactorとpusch-AggregationFactor-r16を送信してもよい。つまり、端末装置１にはpusch-AggregationFactorとpusch-AggregationFactor-r16が設定されてもよい。別の言い方で言えば、端末装置１はpusch-AggregationFactorと、pusch-AggregationFactor-r16を含む（を設定する）ＲＲＣメッセージを基地局装置３から受信してもよい。基本的には、第３の例として説明したpusch-AggregationFactor-r16が設定されている際の動作である、シンボル割り当て拡張（スタートシンボル拡張および／またはシンボル数拡張）、動的繰り返し回数、および／またはミニスロットアグリゲーション送信の機能が適用される。
【０１２３】
上述のように、pusch-AggregationFactor-r16が設定されている際の機能が適用されな
い場合では、もしpusch-AggregationFactorが設定されている場合に、そのDCIでスケジュールされるPUSCH送信では第１のアグリゲーション送信が行われてもよい。つまり、端末装置１は、トランスポートブロックを連続的なN個のスロットでN回繰り返し送信してもよい。Nの値はpusch-AggregationFactorによって与えられてもよい。N個のスロットでは同じシンボルアロケーションが適用されてもよい。また、pusch-AggregationFactor-r16が設定されている際の機能が適用されない場合では、もしpusch-AggregationFactorが設定されていない場合に、そのDCIでスケジュールされるPUSCH送信が１回行われてもよい。つまり、端末装置１は、トランスポートブロックを１回送信してもよい。
【０１２４】
前述のように、スロットアグリゲーション送信（第１のアグリゲーション送信と第２のアグリゲーション送信におけるスロットアグリゲーション送信）では、１つの上りリンクグラントが２回または２回より多いＰＵＳＣＨ繰り返し送信をスケジュールしてもよい。各繰り返し送信は各連続的なスロット（または、各利用可能なスロット）で行わる。つまり、スロットアグリゲーションでは、１つのスロット（１つの利用可能なスロット）内で同じトランスポートブロックの繰り返し送信の回数が最大１回のみである。利用可能なスロットは、実際にトランスポートブロックの繰り返し送信が行われるスロットであってもよい。
【０１２５】
ミニスロットアグリゲーション送信では、１つの上りリンクグラントが２回または２回より多いＰＵＳＣＨ繰り返し送信をスケジュールしてもよい。繰り返し送信は同じスロット内で行われてもよいし、連続的な利用可能なスロットにわたって行われてもよい。該スケジュールされるＰＵＳＣＨ繰り返し送信には、スロット（利用可能なスロット）内のＰ
ＵＳＣＨ繰り返し送信に利用可能なシンボルに基づいて、各スロット内で行われる繰り返し送信の回数は異なってもよい。つまり、ミニスロットアグリゲーション送信では、１つのスロット（１つの利用可能なスロット）内で同じトランスポートブロックの繰り返し送信の回数が１回または１回より多くてもよい。つまり、ミニスロットアグリゲーション送信では、端末装置１は、１つのスロット内で同じトランスポートブロックの１回以上の繰り返し送信を基地局装置３に送信することができる。つまり、ミニスロットアグリゲーション送信は、スロット内アグリゲーションをサポートするモードのことを意味するとも言える。ミニスロットアグリゲーション送信に、上記で説明したシンボル割り当て拡張（スタートシンボル拡張および／またはシンボル数拡張）、および／または動的繰り返し回数、が適用されてもよい。
【０１２６】
本実施形態において、端末装置１は、（Ｉ）上位層のパラメータ、および／または、（ＩＩ）上りリンクグラントに含まれるフィールドに少なくとも基づいて、その上りリンクグラントがスケジュールされるＰＵＳＣＨ送信にアグリゲーション送信が適用されるかどうか、または、何れかのアグリゲーション送信タイプが適用されるかどうかを決定してもよい。アグリゲーション送信のタイプは第１のアグリゲーション送信、第２のアグリゲーション送信を含んでもよい。別の例として、第２のアグリゲーション送信を、スロットアグリゲーション送信とミニスロットアグリゲーション送信にタイプを分けてもよい。つまり、アグリゲーション送信のタイプは第１のスロットアグリゲーション送信（第１のアグリゲーション送信）、第２のスロットアグリゲーション送信（第２のアグリゲーション送信におけるスロットアグリゲーション）、および、ミニスロットアグリゲーション送信を含んでもよい。
【０１２７】
本実施形態の態様Ａにおいて、基地局装置３は、スロットアグリゲーション送信とミニスロットアグリゲーション送信の内何れを設定するかを上位層のパラメータによって端末装置１に通知してもよい。スロットアグリゲーション送信とミニスロットアグリゲーション送信の内何れが設定されるかは、スロットアグリゲーション送信とミニスロットアグリゲーション送信の内何れが適用されるかを意味してもよい。例えば、pusch-AggregationFactorは第１のアグリゲーション送信（第１のスロットアグリゲーション送信）の繰り返し送信の回数を示すために用いられてもよい。pusch-AggregationFactor-r16は第２のスロットアグリゲーション送信および／またはミニスロットアグリゲーション送信の繰り返し送信の回数を示すために用いられてもよい。pusch-AggregationFactor-r16は、第２のスロットアグリゲーション送信および／またはミニスロットアグリゲーション送信に対して、共通のパラメータであってもよい。上位層のパラメータrepTxWithinSlot-r16はミニスロットアグリゲーション送信を示すために用いられてもよい。上位層のパラメータrepTxWithinSlot-r16が有効にセットされる場合、端末装置１は、トランスポートブロック送信にミニスロットアグリゲーション送信が適用されることとみなし、ミニスロットアグリゲーション送信を実行してもよい。つまり、端末装置１にpusch-AggregationFactor-r16が設定され、且つ、repTxWithinSlot-r16が設定されている（有効にセットされている）場合、端末装置１は、ミニスロットアグリゲーション送信が適用されることとみなしてもよい。ミニスロットアグリゲーション送信のための繰り返し送信の回数は、pusch-AggregationFactor-r16によって示されてもよい。また、端末装置１にpusch-AggregationFactor-r16が設定され、且つ、repTxWithinSlot-r16が設定されない場合、端末装置１は、第２のスロットアグリゲーション送信が適用されることとみなしてもよい。第２のスロットアグリゲーション送信のための繰り返し送信の回数は、pusch-AggregationFactor-r16によって示されてもよい。また、端末装置１にpusch-AggregationFactorが設定され、且つ、pusch-AggregationFactor-r16が設定されない場合、端末装置１は、第１のスロットアグリゲーション送信が適用されることとみなしてもよい。また、端末装置１にpusch-AggregationFactorとpusch-AggregationFactor-r16が設定されない場合、端末装置１は、アグリゲーション送信が適用されないものとみなし、上りリンクグラントがスケジュールされるＰＵＳＣＨを１回送信してもよい。本実施形態において、上位層のパラメータ（例えば、repTxWithinSlot-r16）が設定されることは、上位層のパラメータ（例えば、repTxWithinSlot-r16）が有効にセットされることを意味してもよいし、上位層のパラメータ（例えば、repTxWithinSlot-r16）が基地局装置３から送信されることを意味してもよい。本実施形態において、上位層のパラメータ（例えば、repTxWithinSlot-r16）が設定されないことは、上位層のパラメータ（例えば、repTxWithinSlot-r16）が無効に設定されることを意味してもよいし、上位層のパラメータ（例えば、repTxWithinSlot-r16）が基地局装置３から送信されないことを意味してもよい。
【０１２８】
本実施形態の態様Ｂにおいて、基地局装置３は、スロットアグリゲーション送信とミニスロットアグリゲーション送信の内何れを設定するかを上位層のパラメータによって端末装置１に通知してもよい。pusch-AggregationFactorは第１のスロットアグリゲーション
送信の繰り返し送信の回数を示すために用いられてもよい。pusch-AggregationFactor-r16は第２のスロットアグリゲーション送信および／またはミニスロットアグリゲーション送信の繰り返し送信の回数を示すために用いられてもよい。pusch-AggregationFactor-r16は、第２のスロットアグリゲーション送信および／またはミニスロットアグリゲーション送信に対して、共通のパラメータであってもよい。端末装置１にpusch-AggregationFactor-r16が設定されている場合、端末装置１に対して第２のスロットアグリゲーション送信および／またはミニスロットアグリゲーション送信が適用されてもよい。
【０１２９】
続いて、端末装置１は、ＰＵＳＣＨ送信（ＰＵＳＣＨ繰り返し送信）をスケジュールする上りリンクグラントに含まれるフィールドに基づいて、さらにスロットアグリゲーション送信またはミニスロットアグリゲーション送信の内何れが適用されるかを決定してもよい。一例として、上りリンクグラントに含まれるあるフィールドは、スロットアグリゲーション送信またはミニスロットアグリゲーション送信の内何れが適用されるかを示すために用いられてもよい。そのフィールドが１ビットであってもよい。また、端末装置１は、基地局装置３から送信された上りリンクグラントに含まれる該フィールドに基づいて、スロットアグリゲーション送信またはミニスロットアグリゲーション送信の内何れが適用されるかを決定してもよい。端末装置１は、該フィールドが０を示した場合にスロットアグリゲーション送信が適用されることを決定し、該フィールドが１を示した場合にミニスロットアグリゲーション送信が適用されることを決定してもよい。
【０１３０】
また、一例として、端末装置１は、基地局装置３から送信された上りリンクグラントに含まれる‘Time domain resource assignment’フィールドに基づいて、スロットアグリ
ゲーション送信またはミニスロットアグリゲーション送信の内何れが適用されるかを決定してもよい。前述のように、‘Time domain resource assignment’フィールドはＰＵＳ
ＣＨ時間領域リソース割り当てを示すために用いられる。端末装置１は、‘Time domain resource assignment’フィールドに基づき得られた連続的な割り当てられるシンボル数
Ｌが所定の値を超えているかどうかに基づいて、スロットアグリゲーション送信またはミニスロットアグリゲーション送信の内何れが適用されるかを決定してもよい。端末装置１は、シンボル数Ｌが所定の値を超えている場合に、スロットアグリゲーション送信が適用されることを決定してもよい。また、端末装置１は、シンボル数Ｌが所定の値を超えていない場合に、ミニスロットアグリゲーション送信が適用されることを決定してもよい。所定の値は、上位層のパラメータから示された値であってもよい。所定の値は、仕様書などで事前に定義された値であってもよい。例えば、所定の値は７シンボルであってもよい。
【０１３１】
端末装置１は、Ｎtotalを確定してもよい。Ｎtotalは１つの上りリンクグラントでスケジュールされる同じトランスポートブロックが繰り返し送信されるトータル回数（繰り返し送信されるトータルＰＵＳＣＨ数）である。別の言い方で、Ｎtotalは、１つの上りリ
ンクグラントでスケジュールされる１つまたは複数のＰＵＳＣＨ数である。端末装置１は
、Ｎrepを確定してもよい。Ｎrepは、スロット内で同じトランスポートブロックが繰り返し送信される回数（繰り返し送信されるＰＵＳＣＨ数）である。別の言い方で、Ｎrepは
、１つの上りリンクグラントでスケジュールされる１つまたは複数のＰＵＳＣＨに対して有るスロット内に配置される１つまたは複数のＰＵＳＣＨ数である。端末装置１は、Ｎslotsを確定してもよい。Ｎslotsは、１つの上りリンクグラントでスケジュールされる同じトランスポートブロックが繰り返し送信されるスロット数である。別の言い方で、Ｎslotsは、１つの上りリンクグラントでスケジュールされる１つまたは複数のＰＵＳＣＨに対
して使われるスロット数である。端末装置１は、ＮtotalをＮrepとＮslotsから導出して
もよい。端末装置１は、ＮrepをＮtotalとＮslotsから導出してもよい。端末装置１は、
ＮslotsをＮrepとＮtotalから導出してもよい。Ｎslotsは、１または２であってもよい。Ｎrepは、スロット間で異なる値でもよい。Ｎrepは、スロット間で同じ値としてもよい。
【０１３２】
端末装置１には上位層のパラメータfrequencyHoppingが設定（提供）されてもよい。上位層のパラメータfrequencyHoppingは、‘intraSlot’と‘interSlot’の内何れかにセットされてもよい。frequencyHoppingが‘intraSlot’にセットされている場合、端末装置
１は、スロット内周波数ホッピングを伴うＰＵＳＣＨ送信を実行してもよい。すなわち、端末装置１にスロット内周波数ホッピングが設定されることは、frequencyHoppingが‘intraSlot’にセットされ、且つ、そのPUSCHをスケジュールするDCIに含まれる‘Frequency hopping flag’フィールドの値が１にセットされることを意味してもよい。frequencyHoppingが‘interSlot’にセットされている場合、端末装置１は、スロット間周波数ホッピングを伴うＰＵＳＣＨ送信を実行してもよい。すなわち、端末装置１にスロット間周波数ホッピングが設定されることは、frequencyHoppingが‘interSlot’にセットされ、且つ、そのPUSCHをスケジュールするDCIに含まれる‘Frequency hopping flag’フィールドの値が１にセットされることを意味してもよい。また、基地局装置３がfrequencyHoppingを端末装置１に送信しない場合、端末装置１は周波数ホッピングなしＰＵＳＣＨ送信を実行してもよい。すなわち、端末装置１には周波数ホッピングが設定されないことは、frequencyHoppingが送信されないことを含んでもよい。また、端末装置１には周波数ホッピングが設定されないことは、frequencyHoppingが送信されても、そのPUSCHをスケジュールするDCIに含まれる‘Frequency hopping flag’フィールドの値が０にセットされることを含んでもよい。
【０１３３】
本実施形態の上りリンク送信において、利用可能なシンボルは、少なくとも上位層のパラメータTDD-UL-DL-ConfigurationCommonおよび／またはTDD-UL-DL-ConfigDedicatedによってフレキシブルおよび／または上りリンクとして示されるシンボルであってもよい。すなわち、利用可能なシンボルは、上位層のパラメータTDD-UL-DL-ConfigurationCommonおよび／またはTDD-UL-DL-ConfigDedicatedによってフ下りリンクとして示されるシンボルではない。上位層のパラメータTDD-UL-DL-ConfigurationCommonおよび／またはTDD-UL-DL-ConfigDedicatedは、上りリンク／下りリンクＴＤＤコンフィギュレーションを確定するために用いられる。
ただし、利用可能なシンボルは、少なくとも上位層のパラメータssb-PositionsInBurstによって示されるシンボルではない。ssb-PositionsInBurstは、基地局装置３に送信されるＳＳ／ＰＢＣＨブロックの時間領域位置を示すために用いられる。すなわち、端末装置１は、ssb-PositionsInBurstによってＳＳ／ＰＢＣＨブロックが送信されるシンボルの位置を知る。ＳＳ／ＰＢＣＨブロックが送信されるシンボルは、ＳＳ／ＰＢＣＨブロックシンボルと称してもよい。すなわち、利用可能なシンボルは、ＳＳ／ＰＢＣＨブロックシンボルではない。
ただし、利用可能なシンボルは、少なくともpdcch-ConfigSIB1によって示されるシンボルではない。すなわち、利用可能なシンボルは、タイプ０ＰＤＣＣＨコモンサーチスペースセットのＣＯＲＥＳＥＴのためのpdcch-ConfigSIB1によって示されるシンボルではない。pdcch-ConfigSIB1はＭＩＢまたはServingCellConfigCommonに含まれてもよい。
【０１３４】
端末装置１は、ＰＵＳＣＨ送信（ＰＵＳＣＨ繰り返し送信）に適用する空間関係情報に関する設定および／または指示を基地局装置３から受信してもよい。より具体的な説明を以下に示す。
【０１３５】
第１の例として端末装置１は、基地局装置より受信した一つまたは複数の空間関係情報に関する設定および／または指示の上位パラメータを用い、ＳＲＩのフィールドを含む上りリンクグラントを受信した際に、第ｎ回のトランスポートブロックの繰り返し送信に対し適用する空間関係情報を、(SRId + n) mod Nsrsとして定められるSRSリソースに設定された空間関係情報として決定してもよい。関数(Ａ) mod (B)は、ＡとＢの割り算をし、割り切れない余りの数字を出力する。ここで、SRIdは上りグラントにて通知されたSRIを示
し、Nsrsは端末装置１に設定されたSRSリソースの総数を示す。また、ＳＲＩのフィール
ドを含む上りリンクグラントを受信する場合に限らず、端末装置１が上位層のパラメータrrc-ConfiguredUplinkGrantの設定を受信しておらずＳＲＩのフィールド（srs-ResourceIndicator）を含む上位層パラメータConfiguredGrantConfigを基地局装置より受信した場合に、第ｎ回のトランスポートブロックの繰り返し送信に対し適用する空間関係情報を、(SRId + n) mod Nsrsとして定められるSRSリソースに設定された空間関係情報として決定してもよい。
【０１３６】
第２の例として端末装置１は、基地局装置より受信した一つまたは複数の空間関係情報に関する設定および／または指示の上位パラメータを用い、ＳＲＩのフィールドを含まない上りリンクグラントを受信した際には、第ｎ回のトランスポートブロックの繰り返し送信に対し適用する空間関係情報を、(PUCCHspatialrelation + n) mod Nspatialrelation
として定められる空間関係情報(PUCCH-SpatialRelationInfo)として決定してもよい。こ
こで、PUCCHspatialrelationは基地局装置３から設定された一つまたは複数のＰＵＣＣＨリソースのうち最小のＩＤのリソースに関連付けられた空間関係情報を示し、Nspatialrelationは端末装置１に設定されたPUCCH-SpatialRelationInfoの総数を示す。また、ＳＲＩのフィールドを含まない上りリンクグラントを受信する場合に限らず、端末装置１が上位層のパラメータrrc-ConfiguredUplinkGrantの設定を受信した場合、および／またはＳＲＩのフィールド（srs-ResourceIndicator）を含まない上位層パラメータConfiguredGrantConfigを基地局装置より受信した場合に、第ｎ回のトランスポートブロックの繰り返し送信に対し適用する空間関係情報を、(PUCCHspatialrelation + n) mod Nspatialrelationとして定められる空間関係情報(PUCCH-SpatialRelationInfo)として決定してもよい。
【０１３７】
第３の例として端末装置１は、基地局装置より受信した一つまたは複数の空間関係情報に関する設定および／または指示の上位パラメータを用い、上位パラメータに第ｎ回のトランスポートブロックの繰り返し送信に対応したSRS Resource Indicator Setを含み、ＳＲＩのフィールドを含まない上りリンクグラントを受信した際に、第ｎ回のトランスポートブロックの繰り返し送信に対し適用する空間関係情報を、SRS Resource Indicator Setの設定情報から定められるSRSリソースに設定された空間関係情報として決定してもよい
。また、SRS Resource Indicator Set設定は図７のSRS Resource Indicator Set設定例A
に示すように、ＳＲＩリソースの総数とpusch-AggregationFactorのサイズのテーブルと
して設定されてもよく、端末装置がＳＲＩのフィールドを含まない上りリンクグラントを受信した際に、第ｎ回のトランスポートブロックの繰り返し送信に対し適用する空間関係情報を、当該テーブルより所定のＳＲＩフィールドの示す値とトランスポートブロックの繰り返し送信回数ｎとの組み合わせから定められるSRSリソースに設定された空間関係情
報として決定してもよい。また、ＳＲＩのフィールドを含まない上りリンクグラントを受信する場合に限らず、端末装置１が上位層のパラメータrrc-ConfiguredUplinkGrantの設
定を受信した場合、および／またはＳＲＩのフィールド（srs-ResourceIndicator）を含
まない上位層パラメータConfiguredGrantConfigを基地局装置より受信した場合に、当該
テーブルより所定のＳＲＩフィールドの示す値とトランスポートブロックの繰り返し送信回数ｎとの組み合わせから定められるSRSリソースに設定された空間関係情報として決定
してもよい。ここで所定のＳＲＩフィールドの示す値は、仕様で予め定められた値としてもよく、端末装置１が基地局装置より上位パラメータとして受信した値としても良い。
【０１３８】
第４の例として端末装置１は、基地局装置より受信した一つまたは複数の空間関係情報に関する設定および／または指示の上位パラメータを用い、上位パラメータに第ｎ回のトランスポートブロックの繰り返し送信に対応したSRS Resource Indicator Setを含み、ＳＲＩのフィールドを含まない上りリンクグラントを受信した際には、第ｎ回のトランスポートブロックの繰り返し送信に対し適用する空間関係情報を、SRS Resource Indicator Setの設定情報から定められる空間関係情報(PUCCH-SpatialRelationInfo)として決定して
もよい。また、SRS Resource Indicator Set設定は図７のSRS Resource Indicator Set設定例Bに示すように、PUCCH-SpatialRelationInfoの総数とpusch-AggregationFactorのサ
イズのテーブルとして設定されてもよく、端末装置がＳＲＩのフィールドを含まない上りリンクグラントを受信した際に、第ｎ回のトランスポートブロックの繰り返し送信に対し適用する空間関係情報を、当該テーブルより所定のＳＲＩフィールドの示す値とトランスポートブロックの繰り返し送信回数ｎとの組み合わせから定められる空間関係情報(PUCCH-SpatialRelationInfo)として決定してもよい。また、ＳＲＩのフィールドを含まない上りリンクグラントを受信する場合に限らず、端末装置１が上位層のパラメータrrc-ConfiguredUplinkGrantの設定を受信した場合、および／またはＳＲＩのフィールド（srs-ResourceIndicator）を含まない上位層パラメータConfiguredGrantConfigを基地局装置より受信した場合に、当該テーブルより所定のＳＲＩフィールドの示す値とトランスポートブロックの繰り返し送信回数ｎとの組み合わせから定められるSRSリソースに設定された空間関係情報として決定してもよい。ここで所定のＳＲＩフィールドの示す値は、仕様で予め定められた値としてもよく、端末装置１が基地局装置より上位パラメータとして受信した値としても良い。
【０１３９】
これにより、端末装置１は、基地局装置３に対する上りリンクデータ送信を行なうことができる。
【０１４０】
次に、本実施形態に係る上りリンク物理チャネルおよび／またはサウンディング参照信号の送信電力に用いられる下りリンクパスロスのリファレンスについて説明する。
なお、端末装置１が受信したＴＰＣコマンドから得られた補正値を累積して算出することによって得られる電力調整制御値を、送信電力に適用することをＴＰＣアキュムレーションと称してもよい。また、端末装置１がＴＰＣコマンドから得られた補正値を累積して算出することなく、直前に受信した１つの補正値を電力制御調整値として送信電力に用いることをＴＰＣアブソリュートと称してもよい。
下りリンクパスロスは、（下りリンク）パスロスリファレンス（例えば、ＳＳ／ＰＢＣＨブロックやＣＳＩ−ＲＳ）の送信電力（基地局装置３の送信電力）とＲＳＲＰ（端末装置１におけるパスロスリファレンスの測定結果）に基づいて端末装置１が算出してもよい。ここで、パスロスリファレンスとは、基地局装置３が設定する端末装置１にてパスロスの算出に用いられるＲＳＲＰの測定オブジェクトとして用いられる下りリンク参照信号（例えば、ＳＳブロックやＣＳＩ−ＲＳ）のことであってもよい。
専用上位レイヤ設定が、基地局装置３から端末装置１に送信されていない状態で、端末装置１と基地局装置３が通信を行ってもよい。専用上位レイヤ設定は、ＰＵＳＣＨパスロス見積もりに使われるべき参照信号のセットＰＵＣＣＨパスロス見積もりに使われるべき参照信号のセット、およびＳＲＳパスロス見積もりに使われるべき参照信号のセットの内の、ゼロ、１つ、または複数を含んでもよい。
基地局装置３は、pathlossReferenceRSToAddModListという上位レイヤ設定を端末装置
１へ送信してもよい。pathlossReferenceRSToAddModListは、ＰＵＳＣＨパスロス見積も
りに使われるべき参照信号のセットをしめす。このパラメータは、以下のＰＵＳＣＨの送信に適用するパスロスリファレンスに対応する。端末装置１は、pathlossReferenceRSToAddModListという上位レイヤ設定を基地局装置３から受信してもよい。
基地局装置３は、pathlossReferenceRSという上位レイヤ設定をＰＵＣＣＨの設定情報
に含めて、端末装置１へ送信してもよい。ＰＵＣＣＨの設定情報に含められたpathlossReferenceRSは、ＰＵＣＣＨパスロス見積もりに使われるべき参照信号のセットをしめす。
このパラメータは、以下のＰＵＣＣＨの送信に適用するパスロスリファレンスに対応する。端末装置１は、ＰＵＣＣＨの設定情報に含められたpathlossReferenceRSという上位レイヤ設定を基地局装置３から受信してもよい。
基地局装置３は、pathlossReferenceRSという上位レイヤ設定をＳＲＳの設定情報に含
めて、端末装置１へ送信してもよい。ＳＲＳの設定情報に含められたpathlossReferenceRSは、ＳＲＳパスロス見積もりに使われるべき参照信号のセットをしめす。このパラメータは、以下のＳＲＳの送信に適用するパスロスリファレンスに対応する。端末装置１は、ＳＲＳの設定情報に含められたpathlossReferenceRSという上位レイヤ設定を基地局装置３から受信してもよい。
【０１４１】
端末装置１がＰＵＳＣＨの送信に適用するパスロスリファレンスについて、複数のＳＳブロックの設定、および／または、ＣＳＩ−ＲＳの設定を上位レイヤ信号（ＲＲＣメッセージおよび／またはＭＡＣ  ＣＥ）で基地局装置３から指示される場合には、当該のパスロスリファレンスを示す情報は、端末装置１が上りリンクグラントで基地局装置３から指示されたＳＲＩ情報が示すＳＲＳ送信用リソースに関連付けられたパスロスリファレンスを示す情報であってもよいし、基地局装置３から上位レイヤ信号で指示された複数のＳＳブロックの設定、および／または、ＣＳＩ−ＲＳの設定のうちＩＤをゼロと設定されたものであってもよいし、基地局装置３から設定された一つまたは複数のＰＵＣＣＨリソースのうち最小のＩＤのリソースに関連付けられたパスロスリファレンスを示す情報であってもよいし、ランダムアクセス応答に含まれたパスロスリファレンスを示す情報（例えば、端末装置１にてメッセージ１の送信時にパスロスリファレンスとして適用した参照信号）であってもよい。また、端末装置１がＳＳブロックの設定、および／または、ＣＳＩ−ＲＳの設定を基地局装置３より上位レイヤ信号で指示されない場合には、当該のパスロスリファレンスを示す情報は、端末装置１がランダムアクセス手順を通じ特定した参照信号（ＳＳブロック、および／または、ＣＳＩ−ＲＳ）としてもよい。ここで、前記ランダムアクセス手順は、特定の要因で開始されたものであってもよい。例えば、端末装置１が、ＰＵＳＣＨの送信に適用するパスロスリファレンスを基地局装置３より提供されていない場合、または、端末装置１が、基地局装置３より専用上位レイヤ設定を提供される前には、端末装置１は、非競合ベースのランダムアクセス手順をトリガーするＰＤＣＣＨオーダーで開始されていない、最近に生じたランダムアクセス手順を通じて端末装置１にて選択されたＳＳ／ＰＢＣＨブロックからの参照信号のリソースを使って、下りリンクパスロス見積もりを算出してもよい。上記処理は、ＰＵＳＣＨの送信に適用する送信電力制御に用いられる下りリンクパスロス見積もりを、活性化されたＢＷＰの下り参照信号を用い算出するよう上位レイヤより設定される場合に、端末装置１が行ってもよい。基地局装置３は、上記処理を端末装置１が行っている想定に基づいて、電力制御をおこなってもよい。また、基地局装置３は、上記処理を端末装置１が行うように上位レイヤ設定の送信を行ってもよい。
【０１４２】
端末装置１がＰＵＣＣＨの送信に適用するパスロスリファレンスについて、複数のＳＳブロックの設定、および／または、ＣＳＩ−ＲＳの設定を上位レイヤ信号（ＲＲＣメッセージおよび／またはＭＡＣ  ＣＥ）で基地局装置３から指示される場合には、当該のパスロスリファレンスを示す情報は、端末装置１が基地局装置３によりＰＵＣＣＨリソースに関連づけられたパスロスリファレンスを示す情報であってもよいし、基地局装置３から上位レイヤ信号で指示された複数のＳＳブロックの設定、および／または、ＣＳＩ−ＲＳの設定のうちＩＤをゼロと設定されたものであってもよいし、基地局装置３より上位レイヤ信号でパスロスリファレンス対応付けの設定されたセルに対し、一つまたは複数のＰＵＣＣＨリソースのうち最小のＩＤのリソースに関連付けられたパスロスリファレンスを示す情報であってもよい。また、端末装置１がＳＳブロックの設定、および／または、ＣＳＩ−ＲＳの設定を基地局装置３より上位レイヤ信号で指示されない場合には、当該のパスロスリファレンスを示す情報は、端末装置１がランダムアクセス手順を通じ特定した参照信号（ＳＳブロック、および／または、ＣＳＩ−ＲＳ）としてもよい。ここで、前記ランダムアクセス手順は、特定の要因で開始されたものであってもよい。例えば、端末装置１が、ＰＵＣＣＨの送信に適用するパスロスリファレンスを基地局装置３より提供されていない場合、または、端末装置１が、基地局装置３より専用上位レイヤ設定を提供される前には、端末装置１は、非競合ベースのランダムアクセス手順をトリガーするＰＤＣＣＨオーダーで開始されていない、最近に生じたランダムアクセス手順を通じて端末装置１にて選択されたＳＳ／ＰＢＣＨブロックからの参照信号のリソースを使って、下りリンクパスロス見積もりを算出してもよい。上記処理は、ＰＵＣＣＨの送信に適用する送信電力制御に用いられる下りリンクパスロス見積もりを、活性化されたＢＷＰの下り参照信号を用い算出するよう上位レイヤより設定される場合に、端末装置１が行ってもよい。基地局装置３は、上記処理を端末装置１が行っている想定に基づいて、電力制御をおこなってもよい。また、基地局装置３は、上記処理を端末装置１が行うように上位レイヤ設定の送信を行ってもよい。
【０１４３】
端末装置１がＳＲＳの送信に適用するパスロスリファレンスについて、複数のＳＳブロックの設定、および／または、ＣＳＩ−ＲＳの設定を上位レイヤ信号（ＲＲＣメッセージおよび／またはＭＡＣ  ＣＥ）で基地局装置３から指示される場合には、当該のパスロスリファレンスを示す情報は、端末装置１が基地局装置３によりＳＲＳ送信用リソースに関連付けられたパスロスリファレンスを示す情報であってもよいし、基地局装置３から上位レイヤ信号でＳＲＳ送信用リソースに関連付けられたパスロスリファレンス対応付けの設定されたセルのパスロスリファレンスを示す情報であってもよい。また、端末装置１がＳＳブロックの設定、および／または、ＣＳＩ−ＲＳの設定を基地局装置３より上位レイヤ信号で指示されない場合には、当該のパスロスリファレンスを示す情報は、端末装置１がランダムアクセス手順を通じ特定した参照信号（ＳＳブロック、および／または、ＣＳＩ−ＲＳ）としてもよい。ここで、前記ランダムアクセス手順は、特定の要因で開始されたものであってもよい。例えば、端末装置１が、ＳＲＳの送信に適用するパスロスリファレンスを基地局装置３より提供されていない場合、または、端末装置１が、基地局装置３より専用上位レイヤ設定を提供される前には、端末装置１は、非競合ベースのランダムアクセス手順をトリガーするＰＤＣＣＨオーダーで開始されていない、最近に生じたランダムアクセス手順を通じて端末装置１にて選択されたＳＳ／ＰＢＣＨブロックからの参照信号のリソースを使って、下りリンクパスロス見積もりを算出してもよい。上記処理は、ＳＲＳの送信に適用する送信電力制御に用いられる下りリンクパスロス見積もりを、活性化されたＢＷＰの下り参照信号を用い算出するよう上位レイヤより設定される場合に、端末装置１が行ってもよい。基地局装置３は、上記処理を端末装置１が行っている想定に基づいて、電力制御をおこなってもよい。また、基地局装置３は、上記処理を端末装置１が行うように上位レイヤ設定の送信を行ってもよい。
【０１４４】
端末装置１の用いるＰＵＳＣＨおよびメッセージ３の送信電力は、サブキャリア間隔設定μ、ＰＵＳＣＨに割り当てられた帯域幅（リソースブロック数）、ＰＵＳＣＨの基準電力、ＰＵＳＣＨの端末装置固有電力、ＰＵＳＣＨの変調方式に基づく電力オフセット、および、下りリンクパスロスの補償係数、下りリンクパスロス、ＰＵＳＣＨのＴＰＣコマンドの補正値に基づいてセットされる。なお、サブキャリア間隔設定μ、ＰＵＳＣＨの基準電力、ＰＵＳＣＨの端末装置固有電力、および、下りリンクパスロスの補償係数は、上位レイヤ設定として基地局装置３より設定される。また、これらの上位レイヤ設定は、上り
リンクグラントの種類毎、セル毎、上りリンクサブフレームセット毎に基地局装置３より端末装置１に対し設定されてもよい。
【０１４５】
端末装置１の用いるＰＵＣＣＨの送信電力は、サブキャリア間隔設定μ、ＰＵＣＣＨに割り当てられた帯域幅（リソースブロック数）、ＰＵＣＣＨの基準電力、ＰＵＣＣＨの端末装置固有電力、および、下りリンクパスロスの補償係数、ＰＵＣＣＨフォーマットに基づく電力オフセット、下りリンクパスロス、ＰＵＣＣＨのＴＰＣコマンドの補正値に基づいてセットされる。なお、サブキャリア間隔設定μ、ＰＵＣＣＨの基準電力、ＰＵＣＣＨの端末装置固有電力、ＰＵＣＣＨフォーマットに基づく電力オフセット、および、下りリンクパスロスの補償係数は、上位レイヤ設定として基地局装置３より設定される。また、これらの上位レイヤ設定は、セルグループ毎に基地局装置３より端末装置１に対し設定されてもよい。
【０１４６】
端末装置１の用いるＳＲＳの送信電力は、サブキャリア間隔設定μ、ＳＲＳに割り当てられた帯域幅（リソースブロック数）、ＳＲＳの基準電力、および、下りリンクパスロスの補償係数、下りリンクパスロス、ＳＲＳのＴＰＣコマンドの補正値に基づいてセットされる。なお、サブキャリア間隔設定μ、ＳＲＳの基準電力、および、下りリンクパスロスの補償係数は、上位レイヤ設定として基地局装置３より設定される。また、これらの上位レイヤ設定は、上りリンクグラントの種類毎、セル毎、上りリンクサブフレームセット毎に基地局装置３より端末装置１に対し設定されてもよい。
【０１４７】
端末装置１は、ＰＵＳＣＨ繰り返し送信に適用するパスロスリファレンスに関する設定および／または指示を基地局装置３から受信してもよい。より具体的な説明を以下に示す。
【０１４８】
第１の例として端末装置１は、基地局装置より受信したパスロスリファレンスに関する設定および／または指示の上位パラメータを用い、ＳＲＩのフィールドを含む上りリンクグラントを受信した際に、第ｎ回のトランスポートブロックの繰り返し送信に対し適用するパスロスリファレンスを、(qd,sri + n) mod Nqdとして定められるパスロスリファレンスとして決定してもよい。ここで、qd,sriは上りグラントにて通知されたSRIに関連付け
設定されたPUSCH-PathlossReferenceRs-Idを示し、Nqdは端末装置１に設定されたPUSCH-PathlossReferenceRsの総数を示す。また、ＳＲＩのフィールドを含む上りリンクグラントを受信する場合に限らず、端末装置１が上位層のパラメータrrc-ConfiguredUplinkGrantの設定を受信しておらずＳＲＩのフィールド（srs-ResourceIndicator）を含む上位層パラメータConfiguredGrantConfigを基地局装置より受信した場合に、第ｎ回のトランスポートブロックの繰り返し送信に対し適用するパスロスリファレンスを、(qd,sri + n) mod Nqdとして定められるパスロスリファレンスとして決定してもよい。また第１の例の変形例として、ＳＲＩのフィールドを含む上りリンクグラントを受信した際に、N回繰り返し送信するトランスポートブロックに適用するパスロスリファレンスをｎによらずqd,sriとして決定してもよい。また別の変形例として、ミニスロットアグリゲーション送信を適用する際、ｎの値は同一スロット内のスロット間で同一の値としてもよく、スロット境界を前後する繰り返し送信の際にｎの値を増加することとしてもよい。
【０１４９】
第２の例として端末装置１は、基地局装置より受信したパスロスリファレンスに関する設定および／または指示の上位パラメータを用い、ＳＲＩのフィールドを含まない上りリンクグラントを受信した際、および／またはSRIとPUSCHの送信電力に関する設定情報SRI-PUSCH-PowerControlを基地局装置より設定されていない場合、および／またはPUCCHの空
間関係情報PUCCH-SpatialRelationInfoを設定されていない場合には、第ｎ回のトランス
ポートブロックの繰り返し送信に対し適用するパスロスリファレンスを、PUSCH-PathlossReferenceRs-Id をn mod Nqdとして定められるパスロスリファレンスとして決定してもよい。また、ＳＲＩのフィールドを含まない上りリンクグラントを受信する場合に限らず、端末装置１が上位層のパラメータrrc-ConfiguredUplinkGrantの設定を受信した場合、および／またはＳＲＩのフィールド（srs-ResourceIndicator）を含まない上位層パラメータConfiguredGrantConfigを基地局装置より受信した場合に、第ｎ回のトランスポートブロックの繰り返し送信に対し適用するパスロスリファレンスを、n mod Nqdとして定められるパスロスリファレンスとして決定してもよい。また第２の例の変形例として、ＳＲＩのフィールドを含まない上りリンクグラントを受信した際、および／またはSRIとPUSCHの送信電力に関する設定情報SRI-PUSCH-PowerControlを基地局装置より設定されていない場合、および／またはPUCCHの空間関係情報PUCCH-SpatialRelationInfoを設定されていない場合には、N回繰り返し送信するトランスポートブロックに適用するパスロスリファレンスをｎによらずPUSCH-PathlossReferenceRs-Idがゼロとして決定してもよい。また別の変形例として、ミニスロットアグリゲーション送信を適用する際、ｎの値は同一スロット内のスロット間で同一の値としてもよく、スロット境界を前後する繰り返し送信の際にｎの値を増加することとしてもよい。
【０１５０】
第３の例として端末装置１は、基地局装置より受信したパスロスリファレンスに関する設定および／または指示の上位パラメータを用い、ＳＲＩのフィールドを含まない上りリンクグラントを受信した際、および／またはPUCCHの空間関係情報PUCCH-SpatialRelationInfoを設定されている場合には、第ｎ回のトランスポートブロックの繰り返し送信に対し適用するパスロスリファレンスを、(PUCCHspatialrelation + n) mod Nspatialrelationとして定められるPUCCH-SpatialRelationInfoに設定されたパスロスリファレンスとして決定してもよい。また、ＳＲＩのフィールドを含まない上りリンクグラントを受信する場合に限らず、端末装置１が上位層のパラメータrrc-ConfiguredUplinkGrantの設定を受信した場合、および／またはＳＲＩのフィールド（srs-ResourceIndicator）を含まない上位層パラメータConfiguredGrantConfigを基地局装置より受信した場合に、第ｎ回のトランスポートブロックの繰り返し送信に対し適用するパスロスリファレンスを、(PUCCHspatialrelation + n) mod Nspatialrelationとして定められるPUCCH-SpatialRelationInfoに設定されたパスロスリファレンスとして決定してもよい。また第３の例の変形例として、ＳＲＩのフィールドを含まない上りリンクグラントを受信した際、PUCCHの空間関係情報PUCCH-SpatialRelationInfoを設定されている場合には、N回繰り返し送信するトランスポートブロックに適用するパスロスリファレンスをｎによらずPUCCHspatialrelationとして決定してもよい。また別の変形例として、ミニスロットアグリゲーション送信を適用する際、ｎの値は同一スロット内のスロット間で同一の値としてもよく、スロット境界を前後する繰り返し送信の際にｎの値を増加することとしてもよい。
【０１５１】
第４の例として端末装置１は、基地局装置より受信したパスロスリファレンスに関する設定および／または指示の上位パラメータを用い、上位パラメータに第ｎ回のトランスポートブロックの繰り返し送信に対応したPathloss Reference Setを含み、ＳＲＩのフィールドを含まない上りリンクグラントを受信した際に、第ｎ回のトランスポートブロックの繰り返し送信に対し適用するパスロスリファレンスを、Pathloss Reference Set の設定情報から定められるパスロスリファレンスとして決定してもよい。また、Pathloss Reference Set設定は図８のPathloss Reference Set設定例Aに示すように、ＳＲＩリソースの総数とpusch-AggregationFactorのサイズのテーブルとして設定されてもよく、端末装置がＳＲＩのフィールドを含まない上りリンクグラントを受信した際に、第ｎ回のトランスポートブロックの繰り返し送信に対し適用するパスロスリファレンスを、当該テーブルより所定のＳＲＩフィールドの示す値とトランスポートブロックの繰り返し送信回数ｎとの組み合わせから定められるパスロスリファレンスとして決定してもよい。また、ＳＲＩのフィールドを含まない上りリンクグラントを受信する場合に限らず、端末装置１が上位層のパラメータrrc-ConfiguredUplinkGrantの設定を受信した場合、および／またはＳＲＩのフィールド（srs-ResourceIndicator）を含まない上位層パラメータConfiguredGrantConfigを基地局装置より受信した場合に、当該テーブルより所定のＳＲＩフィールドの示す値とトランスポートブロックの繰り返し送信回数ｎとの組み合わせから定められるパスロスリファレンスとして決定してもよい。ここで所定のＳＲＩフィールドの示す値は、仕様で予め定められた値としてもよく、端末装置１が基地局装置より上位パラメータとして受信した値としても良い。
【０１５２】
第５の例として端末装置１は、基地局装置より受信したパスロスリファレンスに関する設定および／または指示の上位パラメータを用い、上位パラメータに第ｎ回のトランスポートブロックの繰り返し送信に対応したPathloss Reference Setを含み、ＳＲＩのフィールドを含まない上りリンクグラントを受信した際に、第ｎ回のトランスポートブロックの繰り返し送信に対し適用するパスロスリファレンスを、Pathloss Reference Setの設定情報から空間関係情報(PUCCH-SpatialRelationInfo)に設定されたパスロスリファレンスとして決定してもよい。また、Pathloss Reference Set設定は図８のSRS Resource Indicator Set設定例Bに示すように、PUCCH-SpatialRelationInfoの総数とpusch-AggregationFactorのサイズのテーブルとして設定されてもよく、端末装置がＳＲＩのフィールドを含まない上りリンクグラントを受信した際に、第ｎ回のトランスポートブロックの繰り返し送信に対し適用する空間関係情報を、当該テーブルより所定のＳＲＩフィールドの示す値とトランスポートブロックの繰り返し送信回数ｎとの組み合わせから定められる空間関係情報(PUCCH-SpatialRelationInfo)に設定されたパスロスリファレンスとして決定してもよい。また、ＳＲＩのフィールドを含まない上りリンクグラントを受信する場合に限らず、端末装置１が上位層のパラメータrrc-ConfiguredUplinkGrantの設定を受信した場合、および／またはＳＲＩのフィールド（srs-ResourceIndicator）を含まない上位層パラメータConfiguredGrantConfigを基地局装置より受信した場合に、当該テーブルより所定のＳＲＩフィールドの示す値とトランスポートブロックの繰り返し送信回数ｎとの組み合わせから定められるパスロスリファレンスとして決定してもよい。ここで所定のＳＲＩフィールドの示す値は、仕様で予め定められた値としてもよく、端末装置１が基地局装置より上位パラメータとして受信した値としても良い。
【０１５３】
なお、当該のパスロスリファレンスに関する情報は、当該セルのパスロスリファレンスを示す情報であってもよいし、基地局装置３から上位レイヤ信号で関連付けられたパスロスリファレンス対応付けの設定されたセルのパスロスリファレンスを示す情報であってもよい。
【０１５４】
ＰＵＳＣＨ、ＰＵＣＣＨおよびＳＲＳは、端末装置１にてそれぞれの物理チャネルに対応するＴＰＣコマンドに基づいて電力が調整される。
ＴＰＣアキュムレーションは、セル毎、物理チャネル毎、サブフレームセット毎、ＳＲＳリソースセット毎に行なうかどうかが基地局装置３より端末装置１に対し設定されてもよい。また、ＳＲＳのＴＰＣアキュムレーションは、端末装置１にてＰＵＳＣＨのＴＰＣアキュムレーションを流用しても良い。
【０１５５】
このように、端末装置１は、パスロスリファレンスに基づいて、上りリンクの送信電力を適切にセットすることができる。また別の変形例としては、一つまたは複数のPUSCH-PathlossReferenceRsが設定されている場合に、設定されたRsを用い算出したパスロスの平均値を適用することとしてもよいし、最小または最大のパスロスを適用することとしてもよい。
【０１５６】
以下、本実施形態における装置の構成について説明する。
【０１５７】
図９は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、無線リソース制御層処理部１６を含んで構成される。無線送受信部１０を送信部、受信部、モニタ部、または、物理層処理部とも称する。上位層処理部１４を測定部、選択部または制御部とも称する。
【０１５８】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部１４は、基地局装置３から受信した上位層の信号に基づいて、トランスポートブロックの繰り返し送信を行うか否かを判断する機能を有してもよい。上位層処理部１４は、基地局装置３から受信した上位層の信号に基づいて、第１のアグリゲーション送信および／または第２のアグリゲーション送信の何れを行うか否かを判断してもよい。上位層処理部１４は、基地局装置３から受信した上位層の信号に基づいて、アグリゲーション送信（第２のアグリゲーション送信）に対して、シンボル割り当て拡張（スタートシンボル拡張および／またはシンボル数拡張）、動的繰り返し回数、および／またはミニスロットアグリゲーション送信を制御する機能を有してもよい。上位層処理部１４は、基地局装置３から受信した上位層の信号に基づいて、トランスポートブロックの周波数ホッピング送信を行うか否かを判断してもよい。上位層処理部１４は、周波数ホッピング情報やアグリゲーション送信情報などを無線送受信部１０に出力してもよい。上位層処理部１４は、１つまたは複数の参照信号から、それぞれの参照信号の測定値に基づいて１つの参照信号を選択する機能を有してもよい。上位層処理部１４は、１つまたは複数のＰＲＡＣＨ機会から、選択した１つの参照信号に関連付けられたＰＲＡＣＨ機会を選択する機能を有してもよい。上位層処理部１４は、無線送受信部１０で受信したランダムアクセス手順の開始を指示する情報に含まれるビット情報が所定の値であった場合に、上位レイヤ（例えばＲＲＣレイヤ）で設定された１つまたは複数のインデックスから１つのインデックスを特定し、プリアンブルインデックスにセットする機能を有してもよい。上位層処理部１４は、ＲＲＣで設定された１つまたは複数のインデックスのうち、選択した参照信号に関連付けられたインデックスを特定し、プリアンブルインデックスにセットする機能を有してもよい。上位層処理部１４は、受信した情報（例えば、ＳＳＢインデックス情報および／またはマスクインデックス情報）に基づいて、次に利用可能なＰＲＡＣＨ機会を決定する機能を有してもよい。上位層処理部１４は、受信した情報（例えば、ＳＳＢインデックス情報）に基づいて、ＳＳ／ＰＢＣＨブロックを選択する機能を有してもよい。上位層処理部は、上位レイヤ信号で指示されるパスロスリファレンスを示す情報、および／または上りリンクグラントで指示されたＳＲＩ情報（例えば、ＳＲＳ送信用リソースに関連付けられたパスロスリファレンスを示す情報）、および／または設定された一つまたは複数のＰＵＣＣＨリソースの情報（例えば、最小のＩＤのリソースに関連付けられたパスロスリファレンスを示す情報）、および／またはメッセージ１の送信時にパスロスリファレンスとして適用した参照信号の情報、および／またはランダムアクセス手順を通じ特定した参照番号の情報を用いて、上りリンク物理チャネル（ＰＵＳＣＨ、ＰＵＣＣＨ）および／またはサウンディング参照信号の送信電力に用いられる下りリンクパスロスのリファレンスを特定する機能を有しても良い。上位層処理部は、上位レイヤ信号で設定されるサブキャリア間隔設定μ、上りリンク物理チャネル（ＰＵＳＣＨ、ＰＵＣＣＨ）および／またはサウンディング参照信号の基準電力、上りリンク物理チャネル（ＰＵＳＣＨ、ＰＵＣＣＨ）および／またはサウンディング参照信号の端末装置固有電力、および、下りリンクパスロスの補償係数を特定する機能を有しても良い。上位層処理部１４は、第１の繰り返し送信回数を含む上位層の信号および／または第１の数を含むDCIフィールドに基づいて、第２の数を制御する機能を有してもよい。第１の数は、スロット内およびスロット間を含めた同じトランスポートブロックの繰り返し送信回数であってもよい。第２の数は、スロット内での同じトランスポートブロックの繰り返し送信回数であってもよい。
【０１５９】
上位層処理部１４が備える媒体アクセス制御層処理部１５は、ＭＡＣレイヤ（媒体アクセス制御層）の処理を行なう。媒体アクセス制御層処理部１５は、無線リソース制御層処理部１６によって管理されている各種設定情報／パラメータに基づいて、スケジューリング要求の伝送の制御を行う。
【０１６０】
上位層処理部１４が備える無線リソース制御層処理部１６は、ＲＲＣレイヤ（無線リソース制御層）の処理を行なう。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１６１】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。無線送受信部１０は、基地局装置３から受信した上位層の信号（ＲＲＣメッセージ）、ＤＣＩなどを上位層処理部１４に出力する。また、無線送受信部１０は、上位層処理部１４からの指示に基づいて、上りリンク信号を生成して送信する。無線送受信部１０は、上位層処理部１４からの指示に基づいて、基地局装置３にトランスポートブロックを繰り返し送信する機能を有してもよい。無線送受信部１０は、トランスポートブロックの繰り返し送信が設定されている場合、同じトランスポートブロックを繰り返し送信してもよい。繰り返し送信の回数については、上位層処理部１４からの指示に基づいて与えられてもよい。無線送受信部１０は、上位層処理部１４から指示した第１の繰り返し回数に関する情報、第１の数、および、第２の数に基づいて、アグリゲーション送信でPUSCHを送信することを特徴とする。無線送受信部１０は、所定の条件に基づいて、アグリゲーション送信を制御する機能を有してもよい。具体的に、無線送受信部１０は、第１の条件を満たす場合、第２のアグリゲーション送信パラメータが設定されている場合に、それぞれのスロットでは同じシンボルアロケーションを適用して、トランスポートブロックを連続的なN個のスロットでN回繰り返し送信し、第２のアグリゲーション送信パラメータが設定されていない場合に、トランスポートブロックを１回送信する機能を有してもよい。ここで、Nの値は第２のアグリゲーション送信パラメータに示される。また、無線送受信部１０は、第２の条件を満たす場合、ミニスロットアグリゲーション送信を適用してトランスポートブロックを送信する機能を有してもよい。第１の条件は、基地局装置３から受信したDCIで、PUSCHマッピングタイプがタイプAに示されることを少なくとも含む。第２の条件は、基地局装置３から受信したDCIで、PUSCHマッピングタイプがタイプBに示されることを少なくとも含む。無線送受信部１０は、あるセルにおける１つまたは複数の参照信号を受信する機能を有してもよい。無線送受信部１０は、１つまたは複数のＰＲＡＣＨ機会を特定する情報（例えば、ＳＳＢインデックス情報および／またはマスクインデックス情報）を受信する機能を有してもよい。無線送受信部１０は、ランダムアクセス手順の開始を指示する指示情報を含む信号を受信する機能を有してもよい。無線送受信部１０は、所定のインデックスを特定する情報を受信する情報を受信する機能を有してもよい。無線送受信部１０は、ランダムアクセスプリンブルのインデックスを特定する情報を受信する機能を有してもよい。無線送受信部１０は、上位層処理部１４で決定したＰＲＡＣＨ機会でランダムアクセスプリアンブルを送信する機能を有してもよい。
【０１６２】
ＲＦ部１２は、アンテナ部１１を介して受信した信号を、直交復調によりベースバンド
信号に変換し（ダウンコンバート: down covert）、不要な周波数成分を除去する。ＲＦ
部１２は、処理をしたアナログ信号をベースバンド部に出力する。
【０１６３】
ベースバンド部１３は、ＲＦ部１２から入力されたアナログ信号を、アナログ信号をデジタル信号に変換する。ベースバンド部１３は、変換したデジタル信号からＣＰ（Cyclic
Prefix）に相当する部分を除去し、ＣＰを除去した信号に対して高速フーリエ変換（Fast Fourier Transform: FFT）を行い、周波数領域の信号を抽出する。
【０１６４】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０１６５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上り物理チャネル（ＰＵＳＣＨ、ＰＵＣＣＨ）および／またはサウンディング参照信号の送信電力を決定する機能を備えてもよい。ＲＦ部１２を送信電力制御部とも称する。送信電力制御部は、ＴＰＣコマンドおよび／または、上位層処理部で特定したパスロスリファレンスおよび／または上位レイヤ信号で設定されるパラメータ（サブキャリア間隔設定μ、上りリンク物理チャネル（ＰＵＳＣＨ、ＰＵＣＣＨ）および／またはサウンディング参照信号の基準電力、上りリンク物理チャネル（ＰＵＳＣＨ、ＰＵＣＣＨ）の端末装置固有電力）、および／または、下りリンクパスロスの補償係数を用いて、上りリンク信号の送信電力を調整する機能を備えても良い。
【０１６６】
図１０は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、無線リソース制御層処理部３６を含んで構成される。無線送受信部３０を送信部、受信部、モニタ部、または、物理層処理部とも称する。また様々な条件に基づき各部の動作を制御する制御部を別途備えてもよい。上位層処理部３４を、端末制御部とも称する。
【０１６７】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部３４は、端末装置１に送信した上位層の信号に基づいて、トランスポートブロックの繰り返し送信を行うか否かを判断する機能を有してもよい。上位層処理部３４は、端末装置１に送信した上位層の信号に基づいて、第１のアグリゲーション送信および／または第２のアグリゲーション送信の何れを行うか否かを判断してもよい。上位層処理部３４は、端末装置１に送信した上位層の信号に基づいて、アグリゲーション送信（第２のアグリゲーション送信）に対して、シンボル割り当て拡張（スタートシンボル拡張および／またはシンボル数拡張）、動的繰り返し回数、および／またはミニスロットアグリゲーション送信を制御する機能を有してもよい。上位層処理部３４は、端末装置１に送信した上位層の信号に基づいて、トランスポートブロックの周波数ホッピング送信を行うか否かを判断してもよい。上位層処理部３４は、第１の繰り返し送信回数を含む上位層の信号および／または第１の数を含むDCIフィールドに基づいて、第２の数を制御する機能を有してもよい。第１の数は、スロット内およびスロット間を含めた同じトランスポートブロックの繰り返し送信回数であってもよい。第２の数は、スロット内での同じトランスポートブロックの繰り返し送信回数であってもよい。無線送受信部３０で受信したランダムアクセスプリアンブルに基づいて、１つまたは複数の参照信号から１つの参照信号を特定する機能を有してもよい。上位層処理部３４は、少なくともＳＳＢインデックス情報とマスクインデックス情報とからランダムアクセスプリアンブルをモニタするＰＲＡＣＨ機会を特定してもよい。
【０１６８】
上位層処理部３４が備える媒体アクセス制御層処理部３５は、ＭＡＣレイヤの処理を行なう。媒体アクセス制御層処理部３５は、無線リソース制御層処理部３６によって管理されている各種設定情報／パラメータに基づいて、スケジューリングリクエストに関する処理を行う。
【０１６９】
上位層処理部３４が備える無線リソース制御層処理部３６は、ＲＲＣレイヤの処理を行なう。無線リソース制御層処理部３６は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０
に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。無線リソース制御層処理部３６は、あるセルにおける複数の参照信号の設定を特定するための情報を送信／報知してもよい。
【０１７０】
基地局装置３から端末装置１にＲＲＣメッセージ、ＭＡＣ  ＣＥ、および／またはＰＤＣＣＨを送信し、端末装置１がその受信に基づいて処理を行う場合、基地局装置３は、端末装置が、その処理を行っていることを想定して処理（端末装置１やシステムの制御）を行う。すなわち、基地局装置３は、端末装置にその受信に基づく処理を行わせるようにするＲＲＣメッセージ、ＭＡＣ  ＣＥ、および／またはＰＤＣＣＨを端末装置１に送っている。
【０１７１】
無線送受信部３０は、端末装置１に上位層の信号（ＲＲＣメッセージ）、ＤＣＩなどを送信する。また、無線送受信部３０は、上位層処理部３４からの指示に基づいて、端末装置１から送信した上りリンク信号を受信する。無線送受信部３０は、上位層処理部３４からの指示に基づいて、端末装置１からのトランスポートブロックの繰り返し送信を受信する機能を有してもよい。無線送受信部３０は、トランスポートブロックの繰り返し送信が設定されている場合、同じトランスポートブロックの繰り返し送信を受信する。繰り返し送信の回数については、上位層処理部３４からの指示に基づいて与えられてもよい。無線送受信部３０は、上位層処理部３４から指示した第１の繰り返し回数に関する情報、第１の数、および、第２の数に基づいて、アグリゲーション送信でPUSCHを受信することを特
徴とする。無線送受信部３０は、所定の条件に基づいて、アグリゲーション送信を制御する機能を有してもよい。具体的には、無線送受信部３０は、第１の条件を満たす場合、第２のアグリゲーション送信パラメータが設定されている場合に、それぞれのスロットでは同じシンボルアロケーションを適用して、トランスポートブロックを連続的なN個のスロ
ットでN回繰り返し受信し、第２のアグリゲーション送信パラメータが設定されていない
場合に、トランスポートブロックを１回受信する機能を有する。ここで、Nの値は第２の
アグリゲーション送信パラメータに示される。また、無線送受信部３０は、第２の条件を満たす場合、ミニスロットアグリゲーション送信を適用してトランスポートブロックを受信する機能を有してもよい。第１の条件は、端末装置１に送信したDCIで、PUSCHマッピングタイプがタイプAに示されることを少なくとも含む。第２の条件は、端末装置１に送信
したDCIで、PUSCHマッピングタイプがタイプBに示されることを少なくとも含む。無線送
受信部３０は、１つまたは複数の参照信号を送信する機能を有する。また、無線送受信部
３０は、端末装置１から送信されたビーム失敗リカバリ要求を含む信号を受信する機能を有してもよい。無線送受信部３０は、端末装置１に１つまたは複数のＰＲＡＣＨ機会を特定する情報（例えば、ＳＳＢインデックス情報および／またはマスクインデックス情報）を送信する機能を有してもよい。無線送受信部３０は、所定のインデックスを特定する情報を送信する機能を有してもよい。無線送受信部３０は、ランダムアクセスプリアンブルのインデックスを特定する情報を送信する機能を有してもよい。無線送受信部３０は、上位層処理部３４で特定されたＰＲＡＣＨ機会でランダムアクセスプリアンブルをモニタする機能を有してもよい。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０１７２】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図１０において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。また上位層処理部３４は、無線送受信部３０から送信する複数の参照信号のそれぞれに対応する複数のスケジューリング要求リソースを設定する機能を有してもよい。
【０１７３】
なお、図中の「部」とは、セクション、回路、構成装置、デバイス、ユニットなど用語によっても表現される、端末装置１および基地局装置３の機能および各手順を実現する要素である。
【０１７４】
端末装置１が備える符号１０から符号１６が付された部のそれぞれは、回路として構成されてもよい。基地局装置３が備える符号３０から符号３６が付された部のそれぞれは、回路として構成されてもよい。
【０１７５】
（１）より具体的には、本発明の第１の態様における端末装置の通信方法は、アグリゲーション送信パラメータと送信電力制御に適用するパラメータを含む上位レイヤ設定とを受信し、前記アグリゲーション送信パラメータが設定されている場合に、トランスポートブロックをN個のスロットでN回繰り返し送信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う。
【０１７６】
（２）本発明の第２の態様における通信方法は、第１の様態における通信方法に加え、前記パスロスリファレンス参照信号のパラメータは、ｎをＰＵＳＣＨパスロス見積もりに使われるべき参照信号のセットに含まれる参照信号の総数で割った余りとして特定される、参照信号のパラメータとする。
【０１７７】
（３）本発明の第３の態様における通信方法は、第１の様態における通信方法に加え、前記パスロスリファレンス参照信号のパラメータは、一つまたは複数のＰＵＣＣＨリソースに関連付けられた空間関係情報のうち、最小のＩＤのＰＵＣＣＨリソースに関連付けられた空間関係情報とｎとの和をＰＵＣＣＨリソースに関連付けられた空間関係情報の総数で割った余りとして特定される、空間関係情報に対応したパスロスリファレンス参照信号
のパラメータとする。
【０１７８】
（４）本発明の第４の態様における基地局装置の通信方法は、端末装置にアグリゲーション送信パラメータと送信電力制御に適用するパラメータを含む上位レイヤ設定とを送信し、前記アグリゲーション送信パラメータが設定されている場合に、トランスポートブロックをN個のスロットでN回繰り返し受信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う信号を受信する。
【０１７９】
（５）本発明の第５の態様における端末装置は、アグリゲーション送信パラメータと送信電力制御に適用するパラメータを含む上位レイヤ設定とを受信する受信部と、前記アグリゲーション送信パラメータが設定されている場合に、トランスポートブロックをN個の
スロットでN回繰り返し送信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、
一つまたは複数のパスロスリファレンス参照信号のパラメータにより特定されるパスロスリファレンス参照信号を用いて算出し、電力制御を行う送信部と、を備える。
【０１８０】
（６）本発明の第６の態様における基地局装置は、端末装置にアグリゲーション送信パラメータと送信電力制御に適用するパラメータを含む上位レイヤ設定とを送信する送信部と、前記アグリゲーション送信パラメータが設定されている場合に、トランスポートブロックをN個のスロットでN回繰り返し受信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う信号を受信する受信部と、を備える。
【０１８１】
（７）本発明の第７の態様における集積回路は、端末装置に実装される集積回路であって、アグリゲーション送信パラメータと送信電力制御に適用するパラメータを含む上位レイヤ設定とを受信する受信手段と、前記アグリゲーション送信パラメータが設定されている場合に、トランスポートブロックをN個のスロットでN回繰り返し送信し、前記Nの値は
アグリゲーション送信パラメータに含まれ、一つまたは複数のパスロスリファレンス参照信号のパラメータが、送信電力制御に適用するパラメータに含まれ、第ｎ回目のPUSCH送
信に対する下りリンクパスロス見積もりを、一つまたは複数のパスロスリファレンス参照信号のパラメータにより特定されるパスロスリファレンス参照信号を用いて算出し、電力制御を行う送信手段と、を備える。
【０１８２】
（８）本発明の第８の態様における集積回路は、基地局装置に実装される集積回路であって、端末装置にアグリゲーション送信パラメータと送信電力制御に適用するパラメータを含む上位レイヤ設定とを送信する送信手段と、前記アグリゲーション送信パラメータが設定されている場合に、トランスポートブロックをN個のスロットでN回繰り返し送信し、前記Nの値はアグリゲーション送信パラメータに含まれ、一つまたは複数のパスロスリファレンス参照信号のパラメータが、送信電力制御に適用するパラメータに含まれ、第ｎ回目のPUSCH送信に対する下りリンクパスロス見積もりを、一つまたは複数のパスロスリファレンス参照信号のパラメータにより特定されるパスロスリファレンス参照信号を用いて算出し、電力制御を行う信号を受信する受信手段と、を備える。
【０１８３】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１８４】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１８５】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１８６】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０１８７】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１８８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８９】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
５０  送信ユニット（ＴＸＲＵ）
５１  位相シフタ
５２  アンテナエレメント
【図１】
2020136760.tif 000003
【図２】
2020136760.tif 000004
【図３】
2020136760.tif 000005
【図４】
2020136760.tif 000006
【図５】
2020136760.tif 000007
【図６】
2020136760.tif 000008
【図７】
2020136760.tif 000009
【図８】
2020136760.tif 000010
【図９】
2020136760.tif 000011
【図１０】
2020136760.tif 000012